(57)【要約】      （修正有）【課題】データ伝送効率を向上させる通信方法及び通信装置を提供する。【解決手段】方法は、制御ノードが第一の伝送配置メッセージを生成し、該第一の伝送配置メッセージが端末装置の少なくとも一つの第一のサービスセルのそれぞれの伝送配置情報を含み、各第一のサービスセルの伝送配置情報が該各第一のサービスセルの少なくとも一つの伝送配置セットのそれぞれの伝送技術情報及び／又は物理層パラメータ情報と、該伝送技術情報及び／又は該物理層パラメータ情報に対応する伝送リソースプール情報とを含み、該少なくとも一つの第一のサービスセルが第一の伝送ノードに属することと、該制御ノードが該第一の伝送ノードへ該第一の伝送配置メッセージを送信することと、を含む。【選択図】図３
2020145694.tif 000002
【特許請求の範囲】
【請求項１】
通信方法であって、
制御ノードが基準信号配置メッセージを生成し、前記基準信号配置メッセージが端末装置の少なくとも一つの第一の候補サービスセルのそれぞれのダウンリンク基準信号配置情報を含み、前記ダウンリンク基準信号配置情報が時間周波数リソース情報、コード領域リソース情報と空間領域リソース情報のうちの少なくとも一つを含み、前記時間領域リソースの情報が少なくとも一つの物理リソースブロック情報を含み、前記少なくとも一つの第一の候補サービスセルが第一の候補伝送ノードに属することと、
前記制御ノードが前記第一の候補伝送ノードへ前記基準信号配置メッセージを送信することとを含む、前記通信方法。
【請求項２】
前記方法はさらに、
前記制御ノードが前記端末装置へ測定報告リクエストを送信し、前記測定報告リクエストが前記端末装置の少なくとも一つの候補サービスセルのそれぞれのダウンリンク基準信号配置情報を含み、前記少なくとも一つの候補サービスセルが前記少なくとも一つの第一の候補サービスセルを含むことと、
前記制御ノードが、前記端末装置が前記測定報告リクエストに応じて送信した測定レポートを受信し、前記測定レポートが、前記端末装置が前記少なくとも一つの候補サービスセルのそれぞれから送信されたダウンリンク基準信号を測定して得た測定結果を含むことと、
前記制御ノードが前記測定レポートに基づき、前記少なくとも一つの候補サービスセルから前記端末装置の少なくとも一つのサービスセルを確定することとを含むことを特徴とする
請求項１に記載の方法。
【請求項３】
前記制御ノードが端末装置へ測定報告リクエストを送信する前に、前記方法はさらに、
前記制御ノードが前記端末装置から送信された前記少なくとも一つの候補サービスセルのそれぞれの識別子情報を受信し、各候補サービスセルの識別子情報が前記各候補サービスセルの属する候補伝送ノードのノードタイプがタイプ１又はタイプ２であることを示すことに用いられ、前記タイプ１のノードが制御ノードとして機能する能力を有し、前記タイプ２のノードが制御ノードとして機能する能力を有しないことを含み、
前記制御ノードが端末装置へ測定報告リクエストを送信することは、前記制御ノードが前記少なくとも一つの候補サービスセルのそれぞれの識別子情報に基づき、前記端末装置へ測定報告リクエストを送信することを含むことを特徴とする
請求項２に記載の方法。
【請求項４】
前記制御ノードが基準信号配置メッセージを生成する前に、前記方法はさらに、
前記制御ノードが前記端末装置へ前記制御ノードのセルの識別子情報を送信し、前記制御ノードのセルの識別子情報が、前記制御ノードが制御ノードとして機能する能力を有していることを示すことに用いられることを含むことを特徴とする
請求項１〜３のいずれか一項に記載の方法。
【請求項５】
前記方法はさらに、
前記制御ノードが前記第一の候補伝送ノードへ第一のスケジューリングメッセージを送信し、前記第一のスケジューリングメッセージが前記端末装置の少なくとも一つの第一のターゲットサービスセルのそれぞれと前記端末装置の間のデータ伝送をスケジューリングするための少なくとも一つのアップリンクグラントの情報及び／又は少なくとも一つのダウンリンクスケジューリング割り当ての情報を含み、前記少なくとも一つの第一の候補サービスセルが前記少なくとも一つの第一のターゲットサービスセルを含むこと、及び／又は
前記制御ノードが前記端末装置へ第二のスケジューリングメッセージを送信し、前記第二のスケジューリングメッセージが前記端末装置の少なくとも一つのターゲットサービスセルのそれぞれと前記端末装置の間のデータ伝送をスケジューリングするための少なくとも一つのアップリンクグラントの情報及び／又は少なくとも一つのダウンリンクスケジューリング割り当ての情報を含むこと、を含むことを特徴とする
請求項１〜４のいずれか一項に記載の方法。
【請求項６】
前記少なくとも一つのアップリンクグラントの情報は前記少なくとも一つのアップリンクグラントのそれぞれに対応する伝送配置セットの番号情報を含み、
前記少なくとも一つのダウンリンクスケジューリング割り当ての情報は前記少なくとも一つのダウンリンクスケジューリング割り当てのそれぞれに対応する伝送配置セットの番号情報を含むことを特徴とする
請求項５に記載の方法。
【請求項７】
前記第一のスケジューリングメッセージはさらに前記端末装置の識別子情報を含むことを特徴とする
請求項５又は６に記載の方法。
【発明の詳細な説明】
【技術分野】
【０００１】
本発明の実施例は通信分野に関し、且つより具体的には、通信方法と通信装置に関する。
【背景技術】
【０００２】
高度なロング・ターム・エボリューション（ＬＴＥ−Ａ：Ｌｏｎｇ  Ｔｅｒｍ  Ｅｖｏｌｕｔｉｏｎ  Ａｄｖａｎｃｅｄ）システムはキャリアアグリゲーション（ＣＡ：Ｃａｒｒｉｅｒ  Ａｇｇｒｅｇａｔｉｏｎ）とデュアル接続（Ｄｕａｌ  Ｃｏｎｎｅｃｔｉｖｉｔｙ）技術をサポートすることができる。該技術では、端末装置は、一つのセルと無線リソース制御（ＲＲＣ：Ｒａｄｉｏ  Ｒｅｓｏｕｒｃｅ  Ｃｏｎｔｒｏｌ）接続を確立した後、他のセルとデータ通信を行うことができ、これにより、ネットワークと端末装置の間のデータ伝送効率が向上する。具体的には、図１ａに示すように、ダウンリンク方向において、コアネットワーク（例えば移動管理エンティティ（ＭＭＥ：Ｍｏｂｉｌｅ  Ｍａｎａｇｅｍｅｎｔ  Ｅｎｔｉｔｙ））は、Ｓ１インタフェースを介してデータをマスターセル（ＭｅＮＢ）に送信することができ、マスターセルは一部のデータをＸ２インタフェースを介していくつかのスレーブセル（ＳｅＮＢ）に先に送信しておくことができ、最後にマスターセルとスレーブセルは同時に端末装置へデータを送信し、図１ｂに示すように、アップリンク方向において、端末装置はデータをそれぞれスレーブセル（ＳｅＮＢ）とマスターセル（ＭｅＮＢ）に送信することができ、スレーブセルがＸ２インタフェースを介してデータをマスターセルに転送し、最後にマスターセルがＳ１インタフェースを介してデータを該コアネットワーク（例えばサービングゲートウェイ（Ｓ−ＧＷ：Ｓｅｒｖｉｎｇ  ＧａｔｅＷａｙ））に送信する。
【０００３】
次世代移動通信システム（例えば５Ｇシステム）は、より高いデータ伝送効率を提供することが要求され、且つ端末装置の異なるサービスニーズに応じて、業界でマルチ接続の概念が提案され、即ち一つの広いカバレッジを有するマクロ基地局が制御ノードとして機能し、他のノードが伝送ノードとして機能し、端末装置が制御ノードと伝送ノードと同時に通信し、マルチ接続モードを形成することができる。しかしながら、次世代移動通信システムの新規なニーズに向けて、マルチ接続技術はまだ多くの解決されない技術的課題に直面している。
【発明の概要】
【発明が解決しようとする課題】
【０００４】
本発明の実施例は、データ伝送効率を向上させることができる通信方法及び通信装置を提供する。
【課題を解決するための手段】
【０００５】
第一の態様による通信方法は、制御ノードが第一の伝送配置メッセージを生成し、該第一の伝送配置メッセージが端末装置の少なくとも一つの第一のサービスセルのそれぞれの伝送配置情報を含み、各第一のサービスセルの伝送配置情報が該各第一のサービスセルの少なくとも一つの伝送配置セットのそれぞれの伝送技術情報及び／又は物理層パラメータ情報と、該伝送技術情報及び／又は該物理層パラメータ情報に対応する伝送リソースプール情報とを含み、該少なくとも一つの第一のサービスセルが第一の伝送ノードに属することと、該制御ノードが該第一の伝送ノードへ該第一の伝送配置メッセージを送信することとを含む。
【０００６】
具体的には、制御ノードは第一の伝送ノードへ第一の伝送配置メッセージを送信することができ、該第一の伝送配置メッセージが該第一の伝送ノードと該端末装置の間の通信フォーマットを設定することに用いられてもよい。選択可能に、該第一の伝送配置メッセージは該第一の伝送ノードに属する少なくとも一つの第一のサービスセルのそれぞれの少なくとも一つの伝送配置セットの情報を含むことができる。
【０００７】
選択可能に、各第一のサービスセルの伝送配置情報はさらに該各第一のサービスセルの少なくとも一つの伝送配置セットのそれぞれの番号情報を含む。
【０００８】
選択可能に、各第一のサービスセルの伝送配置情報はさらに該各第一のサービスセルの少なくとも一つの伝送配置セットのそれぞれに対応する活性化指示、非活性化指示又は有効期限情報を含む。
【０００９】
本発明の実施例による通信方法では、制御ノードが少なくとも一つのスレーブサービスセルのそれぞれと端末装置の間の通信のための伝送配置を制御し、該伝送配置が少なくとも一つの伝送配置セットを含み、異なる伝送配置セットが異なる伝送リソースプール、伝送技術、物理層パラメータ又はそれらの任意の組み合わせに対応することができ、これにより該少なくとも一つのスレーブサービスセルの少なくとも一つの伝送配置セットが端末装置の異なるサービスニーズを満たすことができ、それによってシステムの全体性能が高まり、ユーザーエクスペリエンスが向上する。
【００１０】
第一の態様の第一の可能な実施形態では、該方法はさらに該制御ノードが該端末装置へ第二の伝送配置メッセージを送信し、該第二の伝送配置メッセージが該端末装置の少なくとも一つのサービスセルのそれぞれの伝送配置情報を含み、該少なくとも一つのサービスセルが該少なくとも一つの第一のサービスセルを含むことを含む。
【００１１】
具体的には、該第二の伝送配置メッセージは該端末装置と該端末装置の少なくとも一つの伝送ノードのそれぞれの間の通信フォーマットを設定することに用いられてもよく、該少なくとも一つの伝送ノードが該第一の伝送ノードを含むことができる。選択可能に、該第二の伝送配置メッセージは該少なくとも一つの伝送ノードのそれぞれの少なくとも一つのサービスセルのそれぞれの少なくとも一つの伝送配置セットの情報を含むことができる。選択可能に、該第二の伝送配置メッセージはさらに該少なくとも一つの伝送ノードのそれぞれの識別子情報及び／又は該少なくとも一つのサービスセルのそれぞれの識別子情報を含むことができる。
【００１２】
上記の可能な実施形態と組み合わせ、第一の態様の第二の可能な実施形態では、該方法はさらに該制御ノードが該第一の伝送ノードへ第一のスケジューリングメッセージを送信し、該第一のスケジューリングメッセージが少なくとも一つの第一のターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該少なくとも一つの第一のサービスセルが該少なくとも一つの第一のターゲットサービスセルを含むことを含む。
【００１３】
選択可能に、該制御ノードは第一のスケジューリングメッセージによって各第一のターゲットサービスセルと端末装置の間の少なくとも一つのアップリンク又はダウンリンクデータ伝送をスケジューリングすることができる。
【００１４】
上記の可能な実施形態と組み合わせ、第一の態様の第三の可能な実施形態では、該方法はさらに該制御ノードが該端末装置へ第二のスケジューリングメッセージを送信し、該第二のスケジューリングメッセージが該端末装置の少なくとも一つのターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含むことを含むことを含む。
【００１５】
選択可能に、該少なくとも一つのターゲットサービスセルは該少なくとも一つの第一のターゲットサービスセルを含み、該少なくとも一つのターゲットサービスセルが該端末装置の全てのスレーブサービスセル（即ち上記の少なくとも一つのサービスセル）のうちの一部又は全部のセルであってもよい。
【００１６】
選択可能に、該第二のスケジューリングメッセージは少なくとも一つのターゲット伝送ノードのそれぞれと端末装置の間のアップリンク及び／又はダウンリンクデータ伝送をスケジューリングすることに用いられてもよく、該少なくとも一つのターゲット伝送ノードが該端末装置の全ての伝送ノードのうちの一部又は全部のノードであってもよい。選択可能に、該第二のスケジューリングメッセージはターゲット伝送ノードの該端末装置に属するサービスセルの一つ又は複数のセルと該端末装置の間のデータ伝送をスケジューリングすることに用いられてもよい。
【００１７】
選択可能に、該第一のスケジューリングメッセージはさらに該端末装置の識別子情報を含む。
【００１８】
本発明の実施例による通信方法では、制御ノードが一つ又は複数の伝送ノードのそれぞれの少なくとも一つのセルの各セルと端末装置の少なくとも一つのアップリンクデータ伝送及び／又は少なくとも一つのダウンリンクデータ伝送をスケジューリングすることにより、データ伝送効率を高め、システム性能を向上させることができる。
【００１９】
上記の可能な実施形態と組み合わせ、第一の態様の第四の可能な実施形態では、該制御ノードが第一の伝送配置メッセージを生成する前に、該方法はさらに該制御ノードが該端末装置の少なくとも一つの候補伝送ノードのそれぞれへ基準信号配置メッセージを送信し、該基準信号配置メッセージが該各候補伝送ノードの少なくとも一つの候補サービスセルのそれぞれのダウンリンク基準信号配置情報を含み、該少なくとも一つの候補伝送ノードが該第一の伝送ノードを含むことを含む。
【００２０】
該端末装置の少なくとも一つの候補伝送ノードは上記の少なくとも一つの伝送ノードを含むことができ、各候補伝送ノードは該端末装置の一つ又は複数の候補サービスセルを含むことができ、該端末装置の少なくとも一つのサービスセルは該端末装置の候補サービスセルセットから選択されたものであってもよい。
【００２１】
上記の可能な実施形態と組み合わせ、第一の態様の第五の可能な実施形態では、該方法はさらに該制御ノードが該端末装置へ測定報告リクエストを送信し、該測定報告リクエストが該端末装置の複数の候補サービスセルのそれぞれのダウンリンク基準信号配置情報を含み、該複数の候補サービスセルが該端末装置の少なくとも一つの候補伝送ノードに属することと、該制御ノードが、該端末装置が該測定報告リクエストに応じて送信した測定レポートを受信し、該測定レポートが、該端末装置が該複数の候補サービスセルのそれぞれから送信されたダウンリンク基準信号を測定して得た測定結果を含むことと、該制御ノードが該測定レポートに基づき、該複数の候補サービスセルから該端末装置の少なくとも一つのサービスセルを確定することとを含む。
【００２２】
選択可能に、該測定報告リクエストは該少なくとも一つの候補伝送ノードのそれぞれの一つ又は複数の候補サービスセルのダウンリンク基準信号配置情報を含むことができる。
【００２３】
選択可能に、該制御ノードはさらに該端末装置へ該少なくとも一つのサービスセル及び／又は該少なくとも一つのサービスセルが属するノードを示すための指示情報を送信することができる。
【００２４】
選択可能に、該ダウンリンク基準信号配置情報は時間周波数リソース情報、コード領域リソース情報及び空間領域リソース情報のうちの少なくとも一つを含み、該時間周波数リソース情報が少なくとも一つの物理リソースブロック情報を含む。
【００２５】
選択可能に、ダウンリンク基準信号に占有された時間周波数リソースは物理リソースブロックを単位とすることができる。具体的には、ダウンリンク基準信号は一つ又は複数の特定サブフレームにおける一つ又は複数の物理リソースブロックを占有することができる。
【００２６】
上記の可能な実施形態と組み合わせ、第一の態様の第六の可能な実施形態では、該制御ノードが該端末装置の少なくとも一つの候補伝送ノードのそれぞれへ基準信号配置情報を送信する前に、該方法はさらに該制御ノードが該端末装置から送信されたリクエストメッセージを受信し、該リクエストメッセージが該端末装置の複数の候補サービスセルのそれぞれの識別子情報を含み、各候補サービスセルの識別子情報が、該各候補サービスセルの属する候補伝送ノードのノードタイプがタイプ１又はタイプ２であることを示すことに用いられ、該タイプ１のノードが制御ノードとして機能する能力を有し、該タイプ２のノードが制御ノードとして機能する能力を有しないことを含み、該制御ノードが該端末装置の少なくとも一つの候補伝送ノードのそれぞれへ基準信号配置メッセージを送信することは、該制御ノードが該リクエストメッセージに基づき、該端末装置の少なくとも一つの候補伝送ノードのそれぞれへ基準信号配置メッセージを送信することを含む。
【００２７】
上記の可能な実施形態と組み合わせ、第一の態様の第七の可能な実施形態では、該制御ノードが第一の伝送配置メッセージを生成する前に、該方法はさらに該制御ノードが該端末装置へ該制御ノードのセルの識別子情報を送信し、該制御ノードのセルの識別子情報が、該制御ノードが制御ノードとして機能する能力を有することを示すことに用いられることを含む
第二の態様による別の通信方法は、第一の伝送ノードが制御ノードから送信された第一の伝送配置メッセージを受信し、該第一の伝送配置メッセージが該第一の伝送ノードの少なくとも一つの第一のサービスセルのそれぞれの伝送配置情報を含み、各第一のサービスセルの伝送配置情報が該各第一のサービスセルの少なくとも一つの伝送配置セットのそれぞれの伝送技術情報及び／又は物理層パラメータ情報と、該伝送技術情報及び／又は該物理層パラメータ情報に対応する伝送リソースプール情報とを含むことと、該第一の伝送ノードが該第一の伝送配置メッセージに基づき、該少なくとも一つの第一のサービスセルを介して該端末装置と通信することとを含む。
【００２８】
選択可能に、各第一のサービスセルの伝送配置情報はさらに該各第一のサービスセルの少なくとも一つの伝送配置セットのそれぞれの番号情報を含む。
【００２９】
選択可能に、各第一のサービスセルの伝送配置情報はさらに該各第一のサービスセルの少なくとも一つの伝送配置セットのそれぞれに対応する活性化指示、非活性化指示又は有効期限情報を含む。
【００３０】
第二の態様の第一の可能な実施形態では、該方法はさらに該第一の伝送ノードが該制御ノードから送信された第一のスケジューリングメッセージを受信し、該第一のスケジューリングメッセージが少なくとも一つの第一のターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該少なくとも一つの第一のサービスセルが該少なくとも一つの第一のターゲットサービスセルを含むことと、該第一の伝送ノードが該第一のスケジューリングメッセージに基づき、該少なくとも一つの第一のターゲットサービスセルを介して該端末装置とデータ伝送を行うこととを含む。
【００３１】
選択可能に、該第一のスケジューリングメッセージはさらに該端末装置の識別子情報を含む。
【００３２】
上記の可能な実施形態と組み合わせ、第二の態様の第二の可能な実施形態では、該第一の伝送ノードが制御ノードから送信された第一の伝送配置メッセージを受信する前に、該方法はさらに該第一の伝送ノードが該制御ノードから送信された基準信号配置メッセージを受信し、該基準信号配置メッセージが該第一の伝送ノードの少なくとも一つの候補サービスセルのダウンリンク基準信号配置情報を含み、該第一の伝送ノードの少なくとも一つの候補サービスセルが該少なくとも一つの第一のサービスセルを含むことと、該第一の伝送ノードが該基準信号配置メッセージに基づき、該少なくとも一つの候補サービスセルを介してダウンリンク基準信号を送信することとを含む。
【００３３】
上記の可能な実施形態では、第二の態様の第三の可能な実施形態では、該第一の伝送ノードが該制御ノードから送信された基準信号配置メッセージを受信する前に、該方法はさらに該第一の伝送ノードが該端末装置へ該第一の伝送ノードの少なくとも一つの候補サービスセルのそれぞれの識別子情報を送信し、各候補サービスセルの識別子情報が、該第一の伝送ノードのノードタイプがタイプ１又はタイプ２であることを示すことに用いられ、該タイプ１のノードが制御ノードとして機能する能力を有し、該タイプ２のノードが制御ノードとして機能する能力を有しないことを示すことを含む。
【００３４】
第三の態様による別の通信方法は、端末装置が制御ノードから送信された第二の伝送配置メッセージを受信し、該第二の伝送配置メッセージが該端末装置の少なくとも一つのサービスセルのそれぞれの伝送配置情報を含み、各サービスセルの伝送配置情報が該各サービスセルの少なくとも一つの伝送配置セットのそれぞれの伝送技術情報及び／又は物理層パラメータ情報と、該伝送技術情報及び／又は該物理層パラメータ情報に対応する伝送ソースプール情報とを含むことと、該端末装置が該第二の伝送配置メッセージに基づき、該少なくとも一つのサービスセルと通信することとを含む。
【００３５】
選択可能に、各サービスセルの伝送配置情報はさらに該各サービスセルの少なくとも一つの伝送配置セットのそれぞれの番号情報を含む。
【００３６】
選択可能に、各サービスセルの伝送配置情報はさらに該各サービスセルの少なくとも一つの伝送配置セットのそれぞれに対応する活性化指示、非活性化指示又は有効期限情報を含む。
【００３７】
第三の態様の第一の可能な実施形態では、該方法はさらに該端末装置が該制御ノードから送信された第二のスケジューリングメッセージを受信し、該第二のスケジューリングメッセージが少なくとも一つのターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該端末装置の少なくとも一つのサービスセルが該少なくとも一つのターゲットサービスセルを含むことと、該端末装置が該第二のスケジューリングメッセージに基づき、該少なくとも一つのターゲットサービスセルとデータ伝送を行うこととを含む。
【００３８】
上記の可能な実施形態と組み合わせ、第三の態様の第二の可能な実施形態では、該端末装置が制御ノードから送信された第二の伝送配置メッセージを受信する前に、該方法はさらに該端末装置が該制御ノードから送信された測定報告リクエストを受信し、該測定報告リクエストが該端末装置の少なくとも一つの候補サービスセルのそれぞれのダウンリンク基準信号配置情報を含み、該端末装置の少なくとも一つの候補サービスセルが該少なくとも一つのサービスセルを含むことと、該端末装置が測定報告リクエストに応じて、該少なくとも一つの候補サービスセルのそれぞれから送信されたダウンリンク基準信号を測定することとを含む。
【００３９】
上記の可能な実施形態と組み合わせ、第三の態様の第三の可能な実施形態では、該端末装置が該制御ノードから送信された測定報告リクエストを受信する前に、該方法はさらに該端末装置が複数のノードのうちの各ノードから送信された該各ノードの少なくとも一つのセルの識別子情報を受信し、各セルの識別子情報が該各セルの属するノードのノードタイプがタイプ１又はタイプ２であることを示すことに用いられ、該タイプ１のノードが制御ノードとして機能する能力を有し、該タイプ２のノードが制御ノードとして機能する能力を有しなく、該複数のノードが該制御ノードと該少なくとも一つの伝送ノードを含むことと、該端末装置が受信された複数のセルのうちの各セルの識別子情報に基づき、該制御ノードと該少なくとも一つの伝送ノードを確定することとを含む。
【００４０】
本発明の実施例による通信方法では、制御ノードが端末装置の複数の候補サービスセルのそれぞれのダウンリンク基準信号を配置することにより、各ノードのダウンリンク基準信号の送信を協調することができ、セル間干渉を低減し、ノードの消費電力を削減することに有利である。
【００４１】
第四の態様による別の通信方法は、制御ノードが基準信号配置メッセージを生成し、該基準信号配置メッセージが端末装置の少なくとも一つの第一の候補サービスセルのそれぞれのダウンリンク基準信号配置情報を含み、該少なくとも一つの第一の候補サービスセルが第一の候補伝送ノードに属することと、該制御ノードが該第一の候補伝送ノードへ該基準信号配置メッセージを送信することとを含む。
【００４２】
第四の態様の第一の可能な実施形態では、該方法はさらに該制御ノードが該端末装置へ測定報告リクエストを送信し、該測定報告リクエストが該端末装置の少なくとも一つの候補サービスセルのそれぞれのダウンリンク基準信号配置情報を含み、該少なくとも一つの候補サービスセルが該少なくとも一つの第一の候補サービスセルを含むことと、該制御ノードが、該端末装置が該測定報告リクエストに応じて送信した測定レポートを受信し、該測定レポートが、該端末装置が該少なくとも一つの候補サービスセルのそれぞれから送信されたダウンリンク基準信号を測定して得た測定結果を含むことと、該制御ノードが該測定レポートに基づき、該少なくとも一つの候補サービスセルから該端末装置の少なくとも一つのサービスセルを確定することとを含む。
【００４３】
選択可能に、該端末装置は少なくとも一つの候補サービスセルを有することができ、該少なくとも一つの候補サービスセルが第一の候補伝送ノードに属する少なくとも一つの第一の候補サービスセルを含むことができる。
【００４４】
上記の可能な実施形態と組み合わせ、第四の態様の第二の可能な実施形態では、該制御ノードが端末装置へ測定報告リクエストを送信する前に、該方法はさらに該制御ノードが該端末装置から送信された該少なくとも一つの候補サービスセルのそれぞれの識別子情報を受信し、各候補サービスセルの識別子情報が該各候補サービスセルの属する候補伝送ノードのノードタイプがタイプ１又はタイプ２であることを示すことに用いられ、該タイプ１のノードが制御ノードとして機能する能力を有し、該タイプ２のノードが制御ノードとして機能する能力を有しないことを含み、該制御ノードが端末装置へ測定報告リクエストを送信することは、該制御ノードが該少なくとも一つの候補サービスセルのそれぞれの識別子情報に基づき、該端末装置へ測定報告リクエストを送信することを含む。
【００４５】
上記の可能な実施形態と組み合わせ、第四の態様の第三の可能な実施形態では、該制御ノードが基準信号配置メッセージを生成する前に、該方法はさらに該制御ノードが該端末装置へ該制御ノードのセルの識別子情報を送信し、該制御ノードのセルの識別子情報が、該制御ノードが制御ノードとして機能する能力を有していることを示すことに用いられることを含む。
【００４６】
上記の可能な実施形態では、第四の態様の第四の可能な実施形態では、該方法はさらに該制御ノードが該第一の候補伝送ノードへ第一のスケジューリングメッセージを送信し、該第一のスケジューリングメッセージが該端末装置の少なくとも一つの第一のターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該少なくとも一つの第一の候補サービスセルが該少なくとも一つの第一のターゲットサービスセルを含むことを含む。
【００４７】
上記の可能な実施形態と組み合わせ、第四の態様の第五の可能な実施形態では、該方法はさらに該制御ノードが該端末装置へ第二のスケジューリングメッセージを送信し、該第二のスケジューリングメッセージが該端末装置の少なくとも一つのターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含むことを含む。
【００４８】
選択可能に、該第一のスケジューリングメッセージはさらに該端末装置の識別子情報を含む。
【００４９】
第五の態様による別の通信方法は、第一のノードが制御ノードから送信された基準信号配置メッセージを受信し、該基準信号配置メッセージが端末装置の少なくとも一つの第一の候補サービスセルのそれぞれのダウンリンク基準信号配置情報を含み、該ダウンリンク基準信号配置情報が時間周波数リソース情報、コード領域リソース情報と空間領域リソース情報のうちの少なくとも一つを含み、該時間周波数リソース情報が少なくとも一つの物理リソースブロック情報を含み、該少なくとも一つの第一の候補サービスセルが該第一のノードに属することと、該第一のノードが該基準信号配置メッセージに基づき、該少なくとも一つの第一の候補サービスセルを介してダウンリンク基準信号を送信することとを含む。
【００５０】
選択可能に、該第一のノードは具体的に前記第一の伝送ノード又は第一の候補伝送ノードであってもよい。
【００５１】
第五の態様の第一の可能な実施形態では、該第一のノードが制御ノードから送信された基準信号配置メッセージを受信する前に、該方法はさらに該第一のノードが端末装置へ該少なくとも一つの第一の候補サービスセルのそれぞれの識別子情報を送信し、各第一の候補サービスセルの識別子情報が、該第一のノードのノードタイプがタイプ１又はタイプ２であることを示すことに用いられ、該タイプ１のノードが制御ノードとして機能する能力を有し、該タイプ２のノードが制御ノードとして機能する能力を有しないことを含む。
【００５２】
該端末装置の少なくとも一つの第一の候補サービスセルは該第一のノードに属する。
【００５３】
上記の可能な実施形態と組み合わせ、第五の態様の第二の可能な実施形態では、該方法はさらに該第一のノードが該制御ノードから送信された第一のスケジューリングメッセージを受信し、該第一のスケジューリングメッセージが少なくとも一つの第一のターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該少なくとも一つの第一の候補サービスセルが該少なくとも一つの第一のターゲットサービスセルを含むことと、該第一のノードが該第一のスケジューリングメッセージに基づき、該少なくとも一つの第一のターゲットサービスセルを介して該端末装置とデータ伝送を行うこととを含む。
【００５４】
選択可能に、該第一のスケジューリングメッセージはさらに該端末装置の識別子情報を含む。
【００５５】
第六の態様による別の通信方法は、端末装置が制御ノードから送信された測定報告リクエストを受信し、該測定報告リクエストが該端末装置の少なくとも一つの候補サービスセルのそれぞれのダウンリンク基準信号配置情報を含むことと、該端末装置が該測定報告リクエストに応じて、該少なくとも一つの候補サービスセルのそれぞれから送信されたダウリンク基準信号を測定することとを含む。
【００５６】
第六の態様の第一の可能な実施形態では、該端末装置が制御ノードから送信された測定報告リクエストを受信する前に、該方法はさらに該端末装置が該少なくとも一つの候補サービスセルのそれぞれの識別子情報を受信し、各候補サービスセルの識別子情報が、該各候補サービスセルのノードタイプがタイプ１又はタイプ２であることを示すことに用いられ、該タイプ１のノードが制御ノードとして機能する能力を有し、該タイプ２のノードが制御ノードとして機能する能力を有しないことと、該端末装置が該制御ノードへリクエストメッセージを送信し、該リクエストメッセージが該少なくとも一つの候補サービスセルのそれぞれの識別子情報を含むこととを含み、該端末装置が制御ノードから送信された測定報告リクエストを受信することは、該端末装置が、該制御ノードが該リクエストメッセージに基づいて送信した測定報告リクエストを受信することを含む。
【００５７】
上記の可能な実施形態と組み合わせ、第六の態様の第二の可能な実施形態では、該方法はさらに該端末装置が該制御ノードから送信された第二のスケジューリングメッセージを受信し、該第二のスケジューリングメッセージが少なくとも一つのターゲットサービスセルと該端末装置の間のデータ伝送をスケジューリングするための少なくとも一つのアップリンクグラントの情報及び／又は少なくとも一つのダウンリンクスケジューリング割り当ての情報を含み、該少なくとも一つの候補サービスセルが該少なくとも一つのターゲットサービスセルを含むことを含む。
【００５８】
第七の態様による別の通信方法は、制御ノードが第一のスケジューリングメッセージを生成し、該第一のスケジューリングメッセージが少なくとも一つの第一のターゲットサービスセルと端末装置の間のデータ伝送をスケジューリングするための少なくとも一つのアップリンクグラントの情報及び／又は少なくとも一つのダウンリンクスケジューリング割り当ての情報を含み、該少なくとも一つの第一のターゲットサービスセルが第一の伝送ノードに属することと、該制御ノードが該第一の伝送ノードへ該第一のスケジューリングメッセージを送信することとを含む。
【００５９】
選択可能に、該第一のスケジューリングメッセージはさらに該端末装置の識別子情報を含む。
【００６０】
第七の態様の第一の可能な実施形態では、該方法はさらに該制御ノードが該端末装置へ第二のスケジューリングメッセージを送信し、該第二のスケジューリングメッセージが少なくとも一つのターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該少なくとも一つのターゲットサービスセルが該少なくとも一つの第一のターゲットサービスセルを含むことを含む。
【００６１】
第八の態様による別の通信方法は、第一の伝送ノードが制御ノードから送信された第一のスケジューリングメッセージを受信し、該第一のスケジューリングメッセージが該第一の伝送ノードの少なくとも一つの第一のターゲットサービスセルのそれぞれと端末装置の間のデータ伝送をスケジューリングするための少なくとも一つのアップリンクグラントの情報及び／又は少なくとも一つのダウンリンクスケジューリング割り当ての情報を含むことと、該第一の伝送ノードが該第一のスケジューリングメッセージに基づき、該少なくとも一つの第一のターゲットサービスセルを介して該端末装置とデータ伝送を行うこととを含む。
【００６２】
選択可能に、該第一のスケジューリングメッセージはさらに該端末装置の識別子情報を含む。
【００６３】
本発明のいくつかの態様では、選択可能に、該物理層パラメータ情報はサブキャリア間隔、フレーム構造、チップレート及び共通制御チャネル配置のうちの少なくとも一つを含む。
【００６４】
本発明のいくつかの態様では、選択可能に、該伝送技術情報は複信方式とマルチアクセス技術の少なくとも一つを含む。
【００６５】
本発明のいくつかの態様では、選択可能に、該伝送リソースプール情報は時間領域リソース、周波数領域リソース、コード領域リソースと空間領域リソースのうちの少なくとも一つを含む。
【００６６】
本発明のいくつかの態様では、選択可能に、該少なくとも一つのアップリンクグラントの情報は該少なくとも一つのアップリンクグラントのそれぞれに対応する伝送配置セットの番号情報を含む。
【００６７】
本発明のいくつかの態様では、選択可能に、該少なくとも一つのダウンリンクスケジューリング割り当ての情報は該少なくとも一つのダウンリンクスケジューリング割り当てのそれぞれに対応する伝送配置セットの番号情報を含む。
【００６８】
本発明のいくつかの態様では、選択可能に、該ダウンリンク基準信号配置情報は時間周波数リソース情報、コード領域リソース情報と空間領域リソース情報のうちの少なくとも一つを含み、該時間周波数リソース情報が少なくとも一つの物理リソースブロック情報を含む。
【００６９】
第九の態様による通信装置は、上記第一の態様又は第一の態様の任意の可能な実施形態の方法を実行することに用いられる。具体的には、該装置は上記第一の態様又は第一の態様の任意の可能な実施形態の方法を実行するためのユニットを備えることができる。
【００７０】
第十の態様による通信装置は、上記第二の態様又は第二の態様の任意の可能な実施形態の方法を実行することに用いられる。具体的には、該装置は上記第二の態様又は第二の態様の任意の可能な実施形態の方法を実行するためのユニットを備えることができる。
【００７１】
第十一の態様による通信装置は、上記第三の態様又は第三の態様の任意の可能な実施形態の方法を実行することに用いられる。具体的には、該装置は上記第三の態様又は第三の態様の任意の可能な実施形態の方法を実行するためのユニットを備えることができる。
【００７２】
第十二の態様による通信装置は、上記第四の態様又は第四の態様の任意の可能な実施形態の方法を実行することに用いられる。具体的には、該装置は上記第四の態様又は第四の態様の任意の可能な実施形態の方法を実行するためのユニットを備えることができる。
【００７３】
第十三の態様による通信装置は、上記第五の態様又は第五の態様の任意の可能な実施形態の方法を実行することに用いられる。具体的には、該装置は上記第五の態様又は第五の態様の任意の可能な実施形態の方法を実行するためのユニットを備えることができる。
【００７４】
第十四の態様による通信装置は、上記第六の態様又は第六の態様の任意の可能な実施形態の方法を実行することに用いられる。具体的には、該装置は上記第六の態様又は第六の態様の任意の可能な実施形態の方法を実行するためのユニットを備えることができる。
【００７５】
第十五の態様による通信装置は、上記第七の態様又は第七の態様の任意の可能な実施形態の方法を実行することに用いられる。具体的には、該装置は上記第七の態様又は第七の態様の任意の可能な実施形態の方法を実行するためのユニットを備えることができる。
【００７６】
第十六の態様による通信装置は、上記第八の態様又は第八の態様の任意の可能な実施形態の方法を実行することに用いられる。具体的には、該装置は上記第八の態様又は第八の態様の任意の可能な実施形態の方法を実行するためのユニットを備えることができる。
【００７７】
第十七の態様による通信装置は、記憶ユニットとプロセッサを備え、該記憶ユニットが命令を記憶することに用いられ、該プロセッサが該メモリに記憶された命令を実行することに用いられ、且つ該プロセッサが該メモリに記憶された命令を実行する場合、該実行により該プロセッサが第一の態様又は第一の態様の任意の可能な実施形態の方法を実行する。
【００７８】
第十八の態様による通信装置は、記憶ユニットとプロセッサを備え、該記憶ユニットが命令を記憶することに用いられ、該プロセッサが該メモリに記憶された命令を実行することに用いられ、且つ該プロセッサが該メモリに記憶された命令を実行する場合、該実行により該プロセッサが第二の態様又は第二の態様の任意の可能な実施形態の方法を実行する。
【００７９】
第十九の態様による通信装置は、記憶ユニットとプロセッサを備え、該記憶ユニットが命令を記憶することに用いられ、該プロセッサが該メモリに記憶された命令を実行することに用いられ、且つ該プロセッサが該メモリに記憶された命令を実行する場合、該実行により該プロセッサが上記第三の態様又は第三の態様の任意の可能な実施形態の方法を実行する。
【００８０】
第二十の態様による通信装置は、記憶ユニットとプロセッサを備え、該記憶ユニットが命令を記憶することに用いられ、該プロセッサが該メモリに記憶された命令を実行することに用いられ、且つ該プロセッサが該メモリに記憶された命令を実行する場合、該実行により該プロセッサが上記第四の態様又は第三の態様の任意の可能な実施形態の方法を実行する。
【００８１】
第二十一の態様による通信装置は、記憶ユニットとプロセッサを備え、該記憶ユニットが命令を記憶することに用いられ、該プロセッサが該メモリに記憶された命令を実行することに用いられ、且つ該プロセッサが該メモリに記憶された命令を実行する場合、該実行により該プロセッサが上記第五の態様又は第五の態様の任意の可能な実施形態の方法を実行する。
【００８２】
第二十二の態様による通信装置は、記憶ユニットとプロセッサを備え、該記憶ユニットが命令を記憶することに用いられ、該プロセッサが該メモリに記憶された命令を実行することに用いられ、且つ該プロセッサが該メモリに記憶された命令を実行する場合、該実行により該プロセッサが上記第六の態様又は第六の態様の任意の可能な実施形態の方法を実行する。
【００８３】
第二十三の態様による通信装置は、記憶ユニットとプロセッサを備え、該記憶ユニットが命令を記憶することに用いられ、該プロセッサが該メモリに記憶された命令を実行することに用いられ、且つ該プロセッサが該メモリに記憶された命令を実行する場合、該実行により該プロセッサが上記第七の態様又は第七の態様の任意の可能な実施形態の方法を実行する。
【００８４】
第二十四の態様による通信装置は、記憶ユニットとプロセッサを備え、該記憶ユニットが命令を記憶することに用いられ、該プロセッサが該メモリに記憶された命令を実行することに用いられ、且つ該プロセッサが該メモリに記憶された命令を実行する場合、該実行により該プロセッサが上記第八の態様又は第八の態様の任意の可能な実施形態の方法を実行する。
【００８５】
第二十五の態様によるコンピュータ可読媒体は、コンピュータプログラムを記憶することに用いられ、該コンピュータプログラムが第一の態様又は第一の態様の任意の可能な実施形態の方法を実行するための命令を含む。
【００８６】
第二十六の態様によるコンピュータ可読媒体は、コンピュータプログラムを記憶することに用いられ、該コンピュータプログラムが第二の態様又は第二の態様の任意の可能な実施形態の方法を実行するための命令を含む。
【００８７】
第二十七の態様によるコンピュータ可読媒体は、コンピュータプログラムを記憶することに用いられ、該コンピュータプログラムが上記第三の態様又は第二の態様の任意の可能な実施形態の方法を実行するための命令を含む。
【００８８】
第二十八の態様によるコンピュータ可読媒体は、コンピュータプログラムを記憶することに用いられ、該コンピュータプログラムが上記第四の態様又は第四の態様の任意の可能な実施形態の方法を実行するための命令を含む。
【００８９】
第二十九の態様によるコンピュータ可読媒体は、コンピュータプログラムを記憶することに用いられ、該コンピュータプログラムが上記第五の態様又は第五の態様の任意の可能な実施形態の方法を実行するための命令を含む。
【００９０】
第三十の態様によるコンピュータ可読媒体は、コンピュータプログラムを記憶することに用いられ、該コンピュータプログラムが上記第六の態様又は第六の態様の任意の可能な実施形態の方法を実行するための命令を含む。
【００９１】
第三十一の態様によるコンピュータ可読媒体は、コンピュータプログラムを記憶することに用いられ、該コンピュータプログラムが上記第七の態様又は第七の態様の任意の可能な実施形態の方法を実行するための命令を含む。
【００９２】
第三十二の態様によるコンピュータ可読媒体は、コンピュータプログラムを記憶することに用いられ、該コンピュータプログラムが上記第八の態様又は第八の態様の任意の可能な実施形態の方法を実行するための命令を含む。
【００９３】
第三十三の態様による通信システムは、第九の態様又は第九の態様の任意の可能な実施形態の装置、第十の態様又は第十の態様の任意の可能な実施形態の装置及び第十一の態様又は第十一の態様の任意の可能な実施形態の装置を備え、又は第十二の態様又は第十二の態様の任意の可能な実施形態の装置、第十三の態様又は第十三の態様の任意の可能な実施形態の装置及び第十四の態様又は第十四の態様の任意の可能な実施形態の装置を備え、又は第十五の態様又は第十五の態様の任意の可能な実施形態の装置、第十六の態様又は第十六の態様の任意の可能な実施形態の装置及び端末装置を備える。
【図面の簡単な説明】
【００９４】
【図１ａ】従来のデュアル接続技術におけるダウリンク伝送の概略図である。
【図１ｂ】従来のデュアル接続技術におけるアップリンク伝送の概略図である。
【図２】本発明の実施例に応用される無線通信システムの概略図である。
【図３】本発明の実施例による通信方法の概略的なフローチャートである。
【図４】本発明の実施例による通信方法の別の概略的なフローチャートである。
【図５】本発明の実施例による通信方法の別の概略的なフローチャートである。
【図６】本発明の別の実施例による通信方法の概略的なフローチャートである。
【図７】図６に示す通信方法における制御ノードが通信フォーマットを設定することを概略的に示す図である。
【図８】本発明の実施例による通信方法における第一の伝送配置メッセージの一例の概略図である。
【図９】本発明の実施例による通信方法における第二の伝送配置メッセージの一例の概略図である。
【図１０】本発明の別の実施例による通信方法の概略的なフローチャートである。
【図１１】図１０に示す通信方法における制御ノードがデータ伝送をスケジューリングすることを概略的に示す図である。
【図１２】本発明の実施例による通信方法における第一のスケジューリングメッセージの一例の概略図である。
【図１３】本発明の実施例による通信方法における第二のスケジューリングメッセージの一例の概略図である。
【図１４】本発明の実施例による通信装置の概略的なブロック図である。
【図１５】本発明の別の実施例による通信装置の概略的なブロック図である。
【図１６】本発明の別の実施例による通信装置の概略的なブロック図である。
【図１７】本発明の別の実施例による通信装置の概略的なブロック図である。
【図１８】本発明の別の実施例による通信装置の概略的なブロック図である。
【図１９】本発明の別の実施例による通信装置の概略的なブロック図である。
【図２０】本発明の別の実施例による通信装置の概略的なブロック図である。
【図２１】本発明の別の実施例による通信装置の概略的なブロック図である。
【図２２】本発明の別の実施例による通信装置の概略的なブロック図である。
【発明を実施するための形態】
【００９５】
本発明の実施例の技術的解決策をより明確に説明するために、以下に本発明の実施例又は従来技術の記述において必要な図面を簡単に説明し、当然ながら、以下に記載される図面が本発明のいくつかの実施例だけであり、当業者であれば、創造的な労力を要することなく、これらの図面に基づいて他の図面を得ることができる。
【００９６】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する
理解すべきものとして、本明細書では用語「システム」と「ネットワーク」は本明細書において常に交換可能に使用される。本明細書では用語「及び／又は」は、関連するオブジェクトを記述する関連関係だけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【００９７】
図２は本発明の実施例に適用可能な無線通信システム１００のアーキテクチャ図である。該無線通信システム１００はグローバルモバイル通信（Ｇｌｏｂａｌ  Ｓｙｓｔｅｍ  ｆｏｒ  Ｍｏｂｉｌｅ  Ｃｏｍｍｕｎｉｃａｔｉｏｎ、「ＧＳＭ」と略称）システム、符号分割多元アクセス（Ｃｏｄｅ  Ｄｉｖｉｓｉｏｎ  Ｍｕｌｔｉｐｌｅ  Ａｃｃｅｓｓ、「ＣＤＭＡ」と略称）システム、広帯域符号分割多元接続（Ｗｉｄｅｂａｎｄ  Ｃｏｄｅ
Ｄｉｖｉｓｉｏｎ  Ｍｕｌｔｉｐｌｅ  Ａｃｃｅｓｓ、「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ、「ＧＰＲＳ」と略称）、長期発展（Ｌｏｎｇ  Ｔｅｒｍ  Ｅｖｏｌｕｔｉｏｎ、「ＬＴＥ」と略称）システム、ＬＴＥ周波数分割複信（Ｆｒｅｑｕｅｎｃｙ  Ｄｉ  ｖｉｓｉｏｎ  Ｄｕｐｌｅｘ、「ＦＤＤ」と略称）システム、ＬＴＥ時分割複信（Ｔｉｍｅ  Ｄｉｖｉｓｉｏｎ  Ｄｕｐｌｅｘ、「ＴＤＤ」と略称）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、「ＵＭＴＳ」と略称）、グローバル相互接続マイクロ波アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、「ＷｉＭａｘ」と略称）通信システム又は将来の５Ｇシステムなどであってもよい。
【００９８】
図２に示すように、該無線通信システム１００は複数の送受信ノード（ＴＲＰ：Ｔｒａｎｓｍｉｓｓｉｏｎ  ａｎｄＲｅｃｅｐｔｉｏｎ  Ｐｏｉｎｔ）１１０と複数の端末装置１２０を備え、簡潔するために、ここでは２つの送受信ノードだけが示されるが、本発明の実施形態では送受信ノードの数が限定されない。各送受信ノードはある特定の地理的エリアに通信カバレッジを提供することができ、送受信ノードのカバレッジエリアは複数のより小さいエリアに分割されてもよく、各より小さいエリアがセルと呼ばれてもよい。図２は送受信ノード１１０のカバレッジエリアが三つのセル１０４ａ、１０４ｂと１０４ｃに分割されることを例示的に示すが、本発明の実施例では、一つの送受信ノードは一つ又は複数のセルをサポートすることができ、本発明の実施例はこれに限定されない。
【００９９】
図２はさらに送受信ノードのカバレッジ内の複数の端末装置１２０を示し、簡潔するために、ここでは各セル内の一つの端末装置だけが例示的に示されるが、本発明の実施例ではセル内の端末装置の数が限定されない。
【０１００】
本発明の実施例では、送受信ノードはそのカバレッジ内に位置する端末装置と無線又は有線又は他の方式で接続することができ、且つ送受信ノードは複数のセルラキャリアの同時伝送をサポートすることができる。一つの選択可能な例として、送受信ノードと端末装置はエアインタフェース（例えばＵｕインタフェース）を介して通信することができ、送受信ノードから端末装置までの通信リンクはダウンリンク（ＤＬ：Ｄｏｗｎｌｉｎｋ）と呼ばれてもよく、端末装置から送受信ノードまでの通信リンクはアップリンク（ＵＬ：Ｕｐｌｉｎｋ）と呼ばれてもよく、異なる送受信ノード同士はネットワークインタフェース（例えばＸ２インタフェース）を介して通信することができる。
【０１０１】
本発明の実施例では、端末装置はアクセス端末、ユーザ機器（ＵＥ：Ｕｓｅｒ  Ｅｑｕｉｐｍｅｎｔ）、加入者ユニット、加入者局、移動サイト、移動局、遠隔局、遠隔端末、移動装置、ユーザ端末、端末、無線通信装置、ユーザエージェント又はユーザ装置であってもよい。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス及び将来の５Ｇネットワークにおける端末装置又は将来の発展型ＰＬＭＮにおける端末装置などであってもよい。
【０１０２】
本発明の実施例では、送受信ノードは端末装置と通信するための装置であってもよく、該送受信ノードはＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよいし、ＷＣＤＭＡシステムにおける基地局（ＮＢ：ＮｏｄｅＢ）であってもよいし、ＬＴＥシステムにおける発展型基地局（ｅＮＢ又はｅＮｏｄｅＢ：Ｅｖｏｌｕｔｉｏｎａｌ  Ｎｏｄｅ  Ｂ）、又はクラウドワイヤレスアクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は該ノードは中継局、アクセスポイント、車載デバイス、ウェアラブルデバイス、将来の５Ｇネットワークにおけるネットワーク側装置又は将来の発展型ＰＬＭＮネットワークにおけるノードなどであってもよい。
【０１０３】
該無線通信システム１００はさらに他のネットワーク装置を備えることができ、簡潔するために、図２に示されないが、本発明の実施例はこれに限定されない。
【０１０４】
無線通信システム１００では、送受信ノードはそれが管理するセル内で異なる伝送技術（Ｔｒａｎｓｍｉｓｓｉｏｎ  Ｓｃｈｅｍｅ）、例えば異なる複信方式（Ｄｕｐｌｅｘ  Ｍｏｄｅ）、マルチアクセス技術（Ｍｕｌｔｉｐｌｅ  Ａｃｃｅｓｓ  Ｓｃｈｅｍｅ）などを用いることができ、且つ異なる物理層パラメータ（ＰＨＹ  Ｐａｒａｍｅｔｅｒ）を用い、例えば異なるサブキャリア間隔（Ｓｕｂｃａｒｒｉｅｒ  Ｓｐａｃｉｎｇ）、チップレート（Ｃｈｉｐ  Ｒａｔｅ）、フレーム構造などを用いることができ、また、送受信ノードは一つのセル内の異なる時間周波数リソースで異なる伝送技術と物理層パラメータを用いることができ、本発明の実施例はこれに限定されない。
【０１０５】
また、該無線通信システム１００はマルチ接続技術をサポートすることができ、即ち該端末装置は同時に複数の送受信ノードと接続を維持することができ、該複数の送受信ノードが端末装置の制御ノードと少なくとも一つの伝送ノードを含むことができ、制御ノードは該端末装置と制御プレーン接続及びデータプレーン接続を有することができ、且つ端末装置へ制御シグナリング及びデータを伝送することができ、伝送ノードは端末装置とデータプレーン接続を有することができ、且つ端末装置へデータを伝送することができるが、本発明の実施例はこれに限定されない。本発明の実施例では、制御ノードとして機能する能力を有しているノードをタイプ１のノードとして定義し、制御ノードとして機能する能力を有しないノードをタイプ２として定義することができ、タイプ１のノードが制御ノード又は伝送ノード又は伝送ノードとして機能することができ、例えば、タイプ１のノードが完全な無線ネットワークプロトコル機能を有し、端末装置と制御プレーン接続（例えば無線リソース制御（ＲＲＣ：Ｒａｄｉｏ  Ｒｅｓｏｕｒｃｅ  Ｃｏｎｔｒｏｌ）接続）を確立する能力を有することができ、タイプ２のノードが伝送ノードのみとして機能することができ、例えば、タイプ２のノードが完全な無線ネットワークプロトコル機能を有しなくてもよく、又はカバレッジが限られるため、制御ノードとして機能することができないが、本発明の実施例はこれに限定されない。
【０１０６】
これに対応して、端末装置は複数のサービスセルを有することができ、該複数のサービスセルが制御ノードに属するサービスセルと伝送ノードに属するサービスセルを含むことができる。説明を容易にするために、以下に該端末装置の制御ノードに属するサービスセルを該端末装置のマスターサービスセルと呼び、且つ該端末装置の伝送ノードに属するサービスセルを該端末装置のスレーブサービスセルとして呼ぶが、当業者であれば、上記名称が本発明の実施例に対するいかなる限定を構成しないことを理解できる。
【０１０７】
理解すべきものとして、用語「ノードのセル」は該ノードに属するセルを指すことができ、同様に、用語「ノードのサービスセル」は具体的にノードに属するセルを指してもよく、且つ該セルは何かしらの端末装置のサービスセル、即ち該ノードに属する端末装置のサービスセルである。
【０１０８】
本発明の実施例は通信方法２００を提供する。該方法２００は様々な無線通信システムに応用されてもよく、例えば図２に示す無線通信システム１００に応用されてもよいが、本発明の実施例はこれに限定されない。
【０１０９】
一つの選択可能な実施例として、端末装置の制御ノードは該端末装置の少なくとも一つのスレーブサービスセルと端末装置の間の伝送フォーマット又は伝送パラメータを設定することができる。この場合、図３に示すように、方法２００はＳ２１０〜Ｓ２１４を含むことができるが、本発明の実施例はこれに限定されない。具体的には、制御ノードは端末装置の少なくとも一つの伝送ノードのうちの第一の伝送ノードへ第一の伝送配置メッセージを送信することができ、該第一の伝送ノードへ送信される該第一の伝送配置メッセージが該第一の伝送ノードの少なくとも一つの第一のサービスセルのそれぞれの伝送配置情報を含むことができ、該伝送配置情報が該端末装置と通信することに用いられる。該端末装置の少なくとも一つのスレーブサービスセルは該少なくとも一つの第一のサービスセルを含むことができ、且つ該少なくとも一つの第一のサービスセルが該第一の伝送ノードに属する。
【０１１０】
Ｓ２１０において、端末装置の制御ノードは、該端末装置の少なくとも一つのスレーブサービスセルのそれぞれが属する伝送ノードへ第一の伝送配置メッセージを送信する。
【０１１１】
端末装置の制御ノードは端末装置の少なくとも一つのスレーブサービスセルを確定することができる。具体的には、該制御ノードは該端末装置の少なくとも一つのスレーブサービスセル及び該少なくとも一つのスレーブサービスセルのそれぞれが属する伝送ノードを確定することができ、即ち該制御ノードは該端末装置の少なくとも一つの伝送ノードを確定することができる。
【０１１２】
一つの選択可能な実施例として、ネットワークにおける各ノードは自体の少なくとも一つのセルのそれぞれの識別子情報をブロードキャストすることができ、例えば、ノードは同期信号にセルの識別子情報を含むことができ、セルの識別子情報が該セルの属するノードが制御ノードとして機能する能力を有しているか否かを示すことに用いられてもよく、例えば、制御ノードのセルのセル識別子があるプリセット識別子範囲に属してもよいが、本発明の実施例はこれに限定されない。選択可能に、端末装置はネットワークにおける複数のノードのうちの各ノードから送信された該各ノードの少なくとも一つのセルのそれぞれの識別子情報を受信することができ、例えば、セルサーチにより複数のセルのうちの各セルの識別子情報を受信することができ、且つ受信された複数のセルのうちの各セルの識別子情報に基づき、該端末装置の制御ノード及びマスターサービスセルを確定することができる。選択可能に、該端末装置は受信された複数のセルのうちの各セルの識別子情報に基づき、該各セルが属するノードのノードタイプを確定することができ、且つノードタイプがタイプ１であるノードへランダムアクセスプロセスを開始することができ、ランダムアクセスが成功した場合、該ノードが該端末装置の制御ノードとして機能することができる。
【０１１３】
選択可能に、該複数のセルが属するノードにノードタイプがタイプ１である複数のノードが含まれる場合、該端末装置は該ノードタイプがタイプ１である複数のノードからノードをランダムに選択してランダムアクセスプロセスを開始し、且つランダムアクセスプロセッサが失敗した後に別のノードをランダムに選択してランダムアクセスを行うことができ、又は、該端末装置は該端末装置と該ノードタイプがタイプ１である複数のノードのうちの各ノードの間のチャネル状態、例えば信号受信品質、信号受信強度などに応じて、該ノードタイプがタイプ１である複数のノードからターゲットノードを確定し、該ターゲットノードへランダムアクセスプロセスを開始することができるが、本発明の実施例はこれに限定されない。
【０１１４】
選択可能に、該端末装置はさらに受信された該複数のセルのうちの各セルの識別子情報に基づき、該端末装置の少なくとも一つの伝送ノード及び少なくとも一つのスレーブサービスセルを確定することができ、該少なくとも一つの伝送ノードがタイプ１／タイプ２のノードを含むことができる。例えば、該端末装置は該複数のセルが属するノードのうちの制御ノード以外の複数の他のノードと該端末装置の間のチャネル状態に応じて、該複数の他のノードから該端末装置の少なくとも一つの伝送ノードを確定することができる。この場合、該端末装置は該制御ノードへ該端末装置の少なくとも一つのスレーブサービスセル及び／又は伝送ノードを示すための指示情報を送信することができ、これに対応して、該制御ノードは該指示情報に基づいて該端末装置の少なくとも一つのスレーブサービスセルを確定することができる。又は、該端末装置は該制御ノードへリクエストメッセージを送信することができ、該リクエストメッセージに複数の候補スレーブサービスセルのうちの各候補スレーブサービスセルの識別子情報が含まれ、該複数のセルが該複数の候補スレーブサービスセルを含むことができ、該制御ノードが該端末装置から送信されたメッセージを受信した後、該複数の候補スレーブサービスセルから該端末装置の少なくとも一つのスレーブサービスセル及び各スレーブサービスセルが属する伝送ノードを確定することができる。具体的には、該端末装置は制御ノードにアクセスする過程又は制御ノードにアクセスした後にメッセージを送信することができ、例えば、該端末装置はランダムアクセスリクエストに該複数の候補スレーブサービスセルのうちの各候補スレーブサービスセルの識別子情報を含むが、本発明の実施例はこれに限定されない。
【０１１５】
該端末装置の少なくとも一つのスレーブサービスセル及び各スレーブサービスセルが属する伝送ノードを確定した（即ち該端末装置の少なくとも一つの伝送ノードを確定した）場合、該制御ノードは該端末装置の少なくとも一つの伝送ノードのそれぞれへ第一の伝送配置メッセージを送信することができる。該制御ノードから伝送ノードに送信される第一の伝送配置メッセージは該伝送ノードに属する少なくとも一つのスレーブサービスセルのそれぞれの伝送配置情報を含むことができ、該伝送配置情報がスレーブサービスセルと該端末装置との通信に用いられてもよい。
【０１１６】
選択可能に、スレーブサービスセルの伝送配置情報は該スレーブサービスセルの少なくとも一つの伝送配置セットのそれぞれの情報を含むことができ、各伝送配置セットの情報が該伝送配置セットに対応する伝送リソースプールの情報及び該伝送配置セットに対応する伝送技術の情報及び／又は物理層パラメータの情報を含むことができ、伝送リソースプールは一定の範囲内の伝送リソースを含むことができ、伝送リソースが時間領域リソース、周波数領域リソース、コード領域リソースと空間領域リソースのうちの少なくとも一つを含むことができる。具体的には、該制御ノードは各スレーブサービスセルに一つ又は複数の伝送配置セットを配置することができ、異なる伝送配置セットが異なる伝送配置に対応することができ、且つ異なるサービスニーズに対応することができ、例えば、異なる伝送配置セットが異なる伝送リソースプール、伝送技術、物理層パラメータ又は上記の三者の任意の組み合わせに対応することができるが、本発明の実施例はこれに限定されない。
【０１１７】
選択可能に、本発明の実施例では、伝送技術は複信方式及び／又はマルチアクセス技術を含むことができ、又はマルチアンテナ配置などの他のパラメータを含むことができ、複信方式が具体的に周波数分割複信（（Ｆｒｅｑｕｅｎｃｙ  Ｄｉｖｉｓｉｏｎ  Ｄｕｐｌｅｘ）、時分割複信（Ｔｉｍｅ  Ｄｉｖｉｓｉｏｎ  Ｄｕｐｌｅｘ）又はデバイスツーデバイス（Ｄ２Ｄ：Ｄｅｖｉｃｅ  ｔｏ  Ｄｅｖｉｃｅ）などであってもよく、マルチアクセス技術が具体的に直交周波数分割多元アクセス（ＯＦＤＭＡ：Ｏｒｔｈｏｇｏｎａｌ  Ｆｒｅｑｕｅｎｃｙ  Ｄｉｖｉｓｉｏｎ  Ｍｕ１ｔｉｐｌｅ  Ａｃｃｅｓｓ）又はＣＤＭＡなどであってもよい。選択可能に、物理層パラメータはサブキャリア間隔、フレーム構造、チップレートと共通制御チャネル配置のうちの少なくとも一つを含むことができ、又は他のパラメータを含むことができるが、本発明の実施例はこれに限定されない。
【０１１８】
選択可能に、伝送配置セットの情報はさらに伝送配置セットの番号情報及び／又は有効期限情報を含むことができる。又は、スレーブサービスセルの伝送配置情報はさらに該スレーブサービスセルの少なくとも一つの伝送配置セットのそれぞれの活性化指示又は非活性化指示を含むことができるが、本発明の実施例はこれに限定されない。
【０１１９】
選択可能に、該制御ノードから伝送ノードに送信される第一の伝送配置メッセージはさらに該伝送ノードの識別子情報を含むことができる。伝送ノードは、該第一の伝送配置メッセージを受信した後、該第一の伝送配置メッセージに含まれる伝送ノードの識別子情報に基づき、該第一の伝送配置メッセージがそれ自体のものであるか否かを確定することができるが、本発明の実施例はこれに限定されない。この場合、選択可能に、該制御ノードは同一の第一の伝送配置メッセージに複数の伝送ノードと端末の間の通信を配置することができ、且つ選択可能に該第一の伝送配置メッセージをブロードキャストの形態で送信することができる。これに対応して、該第一の伝送配置メッセージを受信した伝送ノードは、該第一の伝送配置メッセージに含まれる伝送ノードの識別子情報に基づいて該第一の伝送配置メッセージがそれ自体のものであるか否かを確定し、且つ該第一の伝送配置メッセージがそれ自体のものであることを確定した時に、該識別子情報に対応する少なくとも一つの伝送配置セットの情報に基づき、自体と端末装置との通信のための伝送配置を確定することができるが、本発明の実施例はこれに限定されない。
【０１２０】
Ｓ２１２において、該制御ノードは該端末装置へ第二の伝送配置メッセージを送信する。
【０１２１】
該第二の伝送配置メッセージは該端末装置の少なくとも一つのサービスセルのそれぞれの伝送配置情報を含むことができる。その中、該少なくとも一つのサービスセルは具体的に該端末装置の全てのサービスセルであってもよく、即ち少なくとも一つのサービスセルは該端末装置のマスターサービスセルと少なくとも一つのスレーブサービスセルを含むことができ、又は、該少なくとも一つのサービスセルは該端末装置の一部のスレーブサービスセルのみを含むことができ、又はマスターサービスセルを含まず、該端末装置の全てのスレーブサービスセルのみを含む。本発明の実施例はこれに限定されない。
【０１２２】
Ｓ２１４において、伝送ノードと端末装置は制御ノードから送信された第一の伝送配置メッセージ及び第二の伝送配置メッセージをそれぞれ受信し、且つ受信された伝送配置メッセージに基づいて通信することができる。
【０１２３】
したがって、本発明の実施例による通信方法では、制御ノードが少なくとも一つのスレーブサービスセルのそれぞれと端末装置の間の通信のための伝送配置を制御し、該伝送配置が少なくとも一つの伝送配置セットを含み、異なる伝送配置セットが異なる伝送リソースプール、伝送技術、物理層パラメータ又はそれらの任意の組み合わせに対応することができ、これにより該少なくとも一つのスレーブサービスセルの少なくとも一つの伝送配置セットが端末装置の異なるサービスニーズを満たすことができ、それによってシステムの全体性能が高まり、ユーザーエクスペリエンスが向上する。
【０１２４】
本発明の実施例では、選択可能に、制御ノードと伝送ノードはそれぞれ自体の伝送リソースを管理することができ、即ち伝送ノードは自体の伝送リソースのスケジューリングを行うことができる。別の選択可能な実施例として、制御ノードは該端末装置の少なくとも一つのスレーブサービスセルと端末装置の間のデータ伝送をスケジューリングすることができ、この場合、図４に示すように、該方法２００はＳ２２０〜Ｓ２２４を含むことができるが、本発明の実施例はこれに限定されない。具体的には、端末装置の制御ノードは該端末装置の少なくとも一つの伝送ノードにおける第一の伝送ノードへ第一のスケジューリングメッセージを送信することができ、その中、該第一の伝送ノードへ送信される第一のスケジューリングメッセージが該第一の伝送ノードの少なくとも一つの第一のターゲットサービスセルと該端末装置とのデータ伝送のための少なくとも一つのアップリンクグラント（Ｕｐｌｉｎｋ  Ｇｒａｎｔ）情報及び／又は少なくとも一つのダウンリンクスケジューリング割り当て（Ｄｏｗｎｌｉｎｋ  Ｓｃｈｅｄｕｌｉｎｇ  Ａｓｓｉｇｎｍｅｎｔ）情報を含むことができる。該第一のスケジューリングメッセージは該第一の伝送ノードの少なくとも一つの第一のターゲットサービスセルと該端末装置の間のデータ伝送をスケジューリングすることに用いられ、その中、該端末装置の少なくとも一つのスレーブサービスセルが該第一の伝送ノードの少なくとも一つの第一のサービスセルを含むことができ、該少なくとも一つの第一のターゲットサービスセルが該少なくとも一つの第一のサービスセルのうちの一部又は全部のセルであってもよいが、本発明の実施例はこれに限定されない。
【０１２５】
Ｓ２２０において、端末装置の制御ノードは該端末装置の少なくとも一つのターゲットサービスセルのそれぞれが属する伝送ノードへ第一のスケジューリングメッセージを送信する。
【０１２６】
選択可能に、該少なくとも一つのターゲットサービスセルは具体的に該端末装置の全てのスレーブサービスセルのうちの一部又は全部のセルであってもよく、且つ該少なくとも一つのターゲットサービスセルは該端末装置の少なくとも一つの伝送ノードに属することができる。選択可能に、該制御ノードから伝送ノードへ送信される第一のスケジューリングメッセージは少なくとも一つのアップリンクグラントの情報及び／又は少なくとも一つのダウンリンクスケジューリング割り当ての情報を含むことができ、該少なくとも一つのアップリンクグラントの情報及び／又は少なくとも一つのダウンリンクスケジューリング割り当ての情報が該伝送ノードの一つ又は複数のターゲットサービスセルと端末装置とのデータ伝送に用いられてもよく、該伝送ノードの一つ又は複数のターゲットサービスセルが具体的に該伝送ノードの該端末装置に属するサービスセルのうちの一部又は全部のセルであってもよいが、本発明の実施例はこれに限定されない。
【０１２７】
選択可能に、該少なくとも一つのアップリンクグラントの情報は該少なくとも一つのアップリンクグラントのそれぞれに対応する伝送配置セットの番号情報を含むことができる。選択可能に、該少なくとも一つのダウンリンクスケジューリング割り当ての情報は該少なくとも一つのダウンリンクスケジューリング割り当てのそれぞれに対応する伝送配置セットの番号情報を含むことができる。各伝送配置セットの番号は予め定義されてもよく、又は制御ノードによって予め設定されてもよく、例えば制御ノードが上記実施例における第一の配置メッセージによって設定するが、本発明の実施例はこれに限定されない。
【０１２８】
選択可能に、該少なくとも一つのアップリンクグラントの情報はさらに該少なくとも一つのアップリンクグラントのそれぞれの番号情報を含むことができる。選択可能に、該少なくとも一つのダウンリンクスケジューリング割り当ての情報はさらに該少なくとも一つのダウンリンクスケジューリング割り当てのそれぞれの番号情報を含むことができる。選択可能に、該制御ノードから伝送ノードに伝送された第一のスケジューリングメッセージが複数のアップリンクグラント及び／又は複数のダウンリンクスケジューリング割り当てを含む場合、異なるアップリンクグラント及び／又はダウンリンクスケジューリング割り当ては異なる伝送リソース又は変調符号化方式などに対応することができ、例えば、異なる時間周波数リソース、コード領域リソース、空間領域リソース又はそれらの任意の組み合わせに対応することができるが、本発明の実施例はこれに限定されない。
【０１２９】
選択可能に、該制御ノードから伝送ノードに送信された第一のスケジューリングメッセージはさらに該伝送ノードの識別子情報を含むことができる。伝送ノードは該第一のスケジューリングメッセージを受信した後、該第一のスケジューリングメッセージに含まれる伝送ノードの識別子情報に基づき、該第一のスケジューリングメッセージによってスケジューリングされた少なくとも一つのアップリンクグラント及び／又は少なくとも一つのダウンリンクスケジューリング割り当てが自体のものであるか否かを確定することができるが、本発明の実施例はこれに限定されない。この場合、選択可能に、該制御ノードは同一の第一のスケジューリングメッセージにおいて複数の伝送ノードと端末装置の間のデータ伝送をスケジューリングすることができ、且つ選択可能に該第一のスケジューリングメッセージをブロードキャストの形態で送信することができる。これに対応して、該第一のスケジューリングメッセージを受信した伝送ノードは、該第一のスケジューリングメッセージに含まれる伝送ノードの識別子情報に基づいて該第一のスケジューリングメッセージが自体のデータ伝送をスケジューリングすることに用いられるか否かを確定し、且つ該第一のスケジューリングメッセージが自体のデータ伝送をスケジューリングすることに用いられることを確定した時に、該識別子情報に対応する少なくとも一つのアップリンクグラントの情報及び／又はダウンリンクスケジューリング割り当ての情報に基づき、自体に対応する少なくとも一つのアップリンクグラント及び／又はダウンリンクスケジューリング割り当てを確定することができるが、本発明の実施例はこれに限定されない。
【０１３０】
選択可能に、該第一のスケジューリングメッセージはさらに該端末装置の識別子情報を含む。伝送ノードは該第一のスケジューリングメッセージを受信した後、該第一のスケジューリングメッセージに含まれる端末装置の識別子情報に基づき、該第一のスケジューリングメッセージによってスケジューリングされた該少なくとも一つのアップリンクグラント及び／又は少なくとも一つのダウンリンクスケジューリング割り当てに対応する端末装置を確定することができるが、本発明の実施例はこれに限定されない。
【０１３１】
Ｓ２２２において、該制御ノードは端末装置へ第二のスケジューリングメッセージを送信する。
【０１３２】
該第二のスケジューリングメッセージは該端末装置の少なくとも一つのターゲットサービスセルのそれぞれの少なくとも一つのアップリンクグラントの情報及び／又は少なくとも一つのダウンリンクスケジューリング割り当ての情報を含むことができる。
【０１３３】
Ｓ２２４において、伝送ノードと該端末装置は該制御ノードから送信された第一のスケジューリングメッセージ及び第二のスケジューリングメッセージをそれぞれ受信し、且つ受信されたスケジューリングメッセージに基づいてデータ伝送を行うことができる。
【０１３４】
したがって、本発明の実施例による通信方法では、制御ノードが伝送ノードへ第一のスケジューリングメッセージを送信し、該第一のスケジューリングメッセージが該伝送ノードの少なくとも一つのターゲットサービスセルのそれぞれの少なくとも一つのアップリンクグラントの情報及び／又は少なくとも一つのダウンリンクスケジューリング割り当ての情報を含ませることにより、データ伝送効率を高め、システム性能を向上させることができる。
【０１３５】
別の選択可能な実施例として、該制御ノードは端末装置の少なくとも一つの候補スレーブサービスセルを確定し、且つ該少なくとも一つの候補スレーブサービスセルのそれぞれのダウンリンク基準信号の伝送を配置することができる。この場合、図５に示すように、該方法２００はＳ２３０〜Ｓ２３４を含むことができるが、本発明の実施例はこれに限定されない。具体的には、端末装置の制御ノードは該端末装置の少なくとも一つの候補伝送ノードにおける第一の候補伝送ノードへ基準信号配置メッセージを送信することができ、その中、該第一の候補伝送ノードへ送信される基準信号配置メッセージが該第一の候補伝送ノードに属する少なくとも一つの候補サービスセルのそれぞれのダウンリンク基準信号配置情報を含むことができ、該端末装置の複数の候補スレーブサービスセルが該第一の候補伝送ノードに属する少なくとも一つの候補サービスセルを含むことができる。選択可能に、該第一の候補伝送ノードは上記実施例における第一の伝送ノードと同じ又は異なるノードであってもよいが、本発明の実施例はこれに限定されない。
【０１３６】
Ｓ２３０において、制御ノードは端末装置の複数の候補スレーブサービスセルのそれぞれが属する伝送ノードへ基準信号配置メッセージを送信する。
【０１３７】
該制御ノードは該端末装置の複数の候補スレーブサービスセルを確定することができる。選択可能に、該制御ノードは該端末装置から送信されたリクエストメッセージを受信することができ、該リクエストメッセージに複数の候補スレーブサービスセルのそれぞれの識別子情報が含まれ、この場合、該制御ノードは該リクエストメッセージに含まれる複数の候補スレーブサービスセルのそれぞれの識別子情報に基づき、該複数の候補スレーブサービスセルのうちの一部又は全部の候補スレーブサービスセルを該端末装置の候補スレーブサービスセルとして確定することができ、また、該制御ノードは該端末装置の複数の候補スレーブサービスセルのそれぞれの識別子情報に基づき、該各候補スレーブサービスセルが属するノードを確定し、即ち該各候補スレーブサービスセルが属する候補伝送ノードを確定することができるが、本発明の実施例はこれに限定されない。
【０１３８】
該制御ノードが該端末装置の複数の候補スレーブサービスセル及び各候補スレーブサービスセルが属する候補伝送ノードを確定した場合、該制御ノードは少なくとも一つの候補伝送ノードのそれぞれへ基準信号配置メッセージを送信し、該各候補伝送ノードに属する少なくとも一つの候補スレーブサービスセルのそれぞれのダウンリンク基準信号の送信を配置することができる。
【０１３９】
選択可能に、該制御ノードから候補伝送ノードに送信される基準信号配置メッセージは該候補伝送ノードの少なくとも一つの候補サービスセルのそれぞれのダウンリンク基準信号配置情報を含むことができる。選択可能に、候補サービスセルのダウンリンク基準信号配置情報は時間周波数リソース情報、コード領域リソース情報と空間領域リソース情報のうちの少なくとも一つを含むことができ、該時間周波数リソース情報が少なくとも一つの物理リソースブロック情報を含み、即ちダウンリンク基準信号に占有された時間周波数リソースが物理リソースブロックを単位とすることができる。
【０１４０】
Ｓ２３２において、該制御ノードは該端末装置へ測定報告リクエストを送信する。
【０１４１】
該測定報告リクエストは該端末装置の複数の候補サービスセルのそれぞれのダウンリンク基準信号配置情報を含むことができ、該複数の候補セルが該端末装置の少なくとも一つの候補伝送ノードに属する。
【０１４２】
Ｓ２３４において、候補伝送ノードは該制御ノードから送信された基準信号配置メッセージを受信し、該基準信号配置メッセージに基づいてダウンリンク基準信号を送信する。
【０１４３】
選択可能に、伝送ノードは該基準信号配置メッセージに基づき、ダウンリンク基準信号伝送のオン又はオフを確定することができ、且つダウンリンク基準信号伝送がオン状態にある場合のみ、ダウンリンク基準信号を送信する。
【０１４４】
また、該端末装置は該制御ノードから送信された測定報告リクエストを受信することができ、且つ該測定報告リクエストに応じて、該複数の候補サービスセルのそれぞれから送信されたダウンリンク基準信号を受信することができる。選択可能に、該端末装置は該複数の候補サービスセルのそれぞれから送信されたダウンリンク基準信号を測定し、該各候補サービスセルに対する測定結果を得ることができる。
【０１４５】
選択可能に、本発明の実施例では、制御ノードは他のノードの各セルのダウンリンク基準信号のスイッチングを動的に配置することができ、セルのダウンリンク基準信号をいくつかのサブフレーのみにおいてオン状態にさせて、他のサブフレームにおいてオフ状態にさせる。端末装置は各セルに対応する伝送リソース（時間周波数リソース、コード領域リソース又は空間流域リソース）のみで該セルから送信されたダウンリンク基準信号を受信することができるが、本発明の実施例はこれに限定されない。
【０１４６】
選択可能に、該方法２００はさらにＳ２６とＳ２３８を含むことができる。
【０１４７】
Ｓ２３６において、端末装置は制御ノードへ測定レポートを送信し、該測定レポートが、該端末装置が該複数の候補サービスセルのそれぞれから送信されたダウンリンク基準信号を測定して得た測定結果を含む。
【０１４８】
Ｓ２３８において、該制御ノードは該端末装置から送信された測定レポートを受信し、該測定レポートに基づいて該複数の候補サービスセルから該端末装置のサービスセルを確定し、即ち該複数の候補サービスセルから該端末装置のスレーブサービスセルを確定する。
【０１４９】
該制御ノードは該複数の候補サービスセルのうちの少なくとも一つの候補サービスセルを該端末装置のスレーブサービスセルとして確定することができ、これに対応して、該端末装置のスレーブサービスセルとして確定された候補サービスセルが属する候補伝送ノードは即ち該端末装置の伝送ノードである。
【０１５０】
したがって、本発明の実施例による通信方法では、制御ノードが端末装置の複数の候補サービスセルのそれぞれのダウンリンク基準信号を配置することにより、各ノードのダウンリンク基準信号の送信を協調することができ、セル間干渉を低減し、ノードの消費電力を削減することに有利である。
【０１５１】
理解すべきものとして、該方法２００は上記の各選択可能な実施例のうちの一つ又は複数の選択可能な実施例のステップのみを含むことができ、例えば上記の全てのステップを含むことができるが、本発明の実施例はこれに限定されない。
【０１５２】
以下に具体的な例と組み合わせて本発明の実施例による通信方法をより詳細に説明する。注意すべきものとして、これらの例は当業者が本発明の実施例をより良く理解することを助けるためのものだけであり、本発明の実施例の範囲を限定するものではない。
【０１５３】
図６は本発明の別の実施例による通信方法３００の概略的なフローチャートである。
【０１５４】
Ｓ３１０において、ノードタイプがタイプ１である第一のノードは第一のセルの識別子情報を含みた同期信号を送信し、ノードタイプがタイプ２である第二のノードは第二のセルの識別子情報を含みた同期信号を送信する。
【０１５５】
該第一のセルは第一のノードに属し、該第一のセルの識別子情報は、該第一のノードのノードタイプがタイプ１であり、即ち該第一のノードが制御ノードとして機能する能力を有することを示すことに用いられてもよい。該第二のセルは第二のノードに属し、該第二のセルの識別子情報は、該第二のノードのノードタイプがタイプ２であり、即ち該第二のノードが制御ノードとして機能する能力を有していないことを示すことに用いられてもよい。
【０１５６】
選択可能に、セルの識別子情報は物理セル識別子（ＰＣＩ：Ｐｈｙｓｉｃａｌ  Ｃｅｌｌ  Ｉｄｅｎｔｉｆｉｅｒ）又は他の識別子を含むことができるが、本発明の実施例はこれに限定されない。
【０１５７】
Ｓ３１５において、端末装置はセルサーチを行い、見つけた、タイプ１に属する複数のノードから第一のノードを選択してアクセスし、該第一のノードと接続（例えばＲＲＣ接続）を確立することができる。この場合、該第一のノードは端末装置の制御ノードとして機能することができる。
【０１５８】
選択可能に、該第一のノードは該端末装置のサービス品質要求に応じて、該端末装置のために少なくとも一つの無線ベアラを確立することができる。
【０１５９】
Ｓ３２０において、端末装置は第一のノード（即ち制御ノード）へ、見つけた全部又は一部の識別子情報を報告することができる。
【０１６０】
例えば、該端末装置は該第一のセル以外の、サーチして見つけたセルのうちの前部又は一部のセルの識別子情報を報告し、即ち少なくとも一つのノードのそれぞれのセルの識別子情報を報告することができ、その中タイプ１のノードに属するセルの識別子情報及び／又はタイプ２のノードに属するセルの識別子情報を含むことができ、例えば第二のセルの識別子情報を含むが、本発明の実施例はこれに限定されない。
【０１６１】
選択可能に該端末装置は第一のノードとＲＲＣ接続を確立する過程又はＲＲＣ接続を確立した後に該識別子情報を報告することができる。
【０１６２】
Ｓ３２５において、第一のノードは端末装置から報告された少なくとも一つのノードのそれぞれのセルの識別子情報を受信し、且つ該少なくとも一つのノードにおける一部又は全部のノードへ基準信号配置メッセージを送信することができる。
【０１６３】
該第一のノードから他のノードに送信される基準信号配置メッセージは該他のノードのセルの基準信号配置情報、例えば時間周波数リソース情報、コード領域リソース情報と空間領域リソース情報のうちの少なくとも一つを含むことができ、該時間周波数リソースが物理リソースブロックを単位とすることができ、コード領域リソース情報がアンテナポート情報を含むことができ、コード領域リソース情報がダウンリンク基準信号に用いられたコード又はシーケンスの情報を含むことができ、該他のノードがダウンリンク基準信号の送信をオン及びオフにし、又はダウンリンク基準信号の配置を調整するようにする。この場合、セルから送信されたダウンリンク基準信号はいくつかの特定サブフレームの一つ又は複数の物理リソースブロックのみを占有することができるが、本発明の実施例はこれに限定されない。
【０１６４】
Ｓ３３０において、第一のノードは端末装置へ測定報告リクエストを送信し、該少なくとも一つのノードにおける一部又は全部のノードから送信されたダウンリンク基準信号を測定するように端末装置をリクエストする。
【０１６５】
説明を容易にするために、以下に該少なくとも一つのノードにおける一部又は全部のノードを該端末装置の少なくとも一つの候補伝送ノードと呼び、候補伝送ノードのセルを候補サービスセルと呼び、即ち該第一のノードが該端末装置の少なくとも一つの候補伝送ノードのそれぞれへダウンリンク基準信号配置情報を送信する。選択可能に、該少なくとも一つの候補伝送ノードは第二のノードを含むことができる。
【０１６６】
Ｓ３３５において、第二のノードを含む少なくとも一つの候補伝送ノードは該第一のノードから送信された基準信号配置メッセージを受信し、該基準信号配置メッセージに基づき、ダウンリンク基準信号を送信する。
【０１６７】
Ｓ３４０において、端末装置は第一のノードから送信された測定報告リクエストを受信し、該測定報告リクエストに応じて、第二のノードを含む少なくとも一つの候補伝送ノードから送信されたダウンリンク基準信号を測定し、且つ第一のノードへ測定結果を送信することができる。
【０１６８】
Ｓ３４５において、第一のノードは端末装置から送信された測定レポートを受信することができ、且つ該測定レポート及び端末装置の少なくとも一つの無線ベアラのそれぞれのサービス品質要求に応じて、少なくとも一つの候補伝送ノードから該各無線ベアラの一つ又は複数の伝送ノードを確定し、即ち端末装置の少なくとも一つの候補サービスセルから各無線ベアラの一つ又は複数のサービスセルを確定することができる。
【０１６９】
Ｓ３５０において、第一のノードは端末装置の少なくとも一つの伝送ノードにおける一部又は全部伝送ノードへ第一の伝送配置メッセージを送信し、該第一の伝送配置メッセージが該端末装置に対する一つ又は複数の伝送配置セットを含む。
【０１７０】
Ｓ３５５において、第一のノードは端末装置へ第二の伝送配置メッセージを送信し、該第二の伝送配置メッセージが上記の少なくとも一つの伝送ノードにおける一部又は全部の伝送ノードの各伝送ノードの該端末装置に対する伝送配置情報を含むことができる。
【０１７１】
選択可能に、該少なくとも一つの伝送ノードは第二のノードを含むことができる。
【０１７２】
選択可能に、該第二の伝送配置メッセージの各伝送ノードの伝送配置情報は該各伝送ノードの識別子情報を含むことができる。
【０１７３】
Ｓ３６０において、端末装置は第一のノードから送信された第二の伝送配置メッセージを受信し、且つ該第二の伝送配置メッセージに基づき、各伝送ノードと接続を確立する。
また、第二のノードは該第一のノードから送信された第一の伝送配置メッセージを受信し、該第一の伝送配置メッセージに基づき、該端末装置と接続を確立する。
【０１７４】
一つの選択可能な実施例として、図７に示すように、該第一のノードは伝送ノード１及び伝送ノード２と端末装置の間の通信フォーマットを設定することができ、その中、伝送ノード１と伝送ノード２にそれぞれ複数の伝送配置セットを配置し、且つ各伝送配置セットに対応する伝送リソースプールを配置することができるが、本発明の実施例はこれに限定されない。
【０１７５】
選択可能に、本発明の実施例では、第一の伝送配置メッセージと第二の伝送配置メッセージはそれぞれ図８及び図９に示す形態を有することができ、該第一の伝送配置メッセージが伝送ノードに配置された少なくとも一つの伝送配置セットのそれぞれの番号及び該各伝送配置セットの伝送リソースプール及び伝送技術及び／又は物理層パラメータなどを含むことができ、選択可能に、該第一の伝送配置メッセージがさらに伝送ノードの識別子情報を含むことができる。第二の伝送配置メッセージは複数の伝送ノードのそれぞれの識別子情報及び各伝送ノードの少なくとも一つの伝送配置セットのそれぞれの情報、又は複数のサービスセルのうちの各サービスセルの少なくとも一つの伝送配置セットのそれぞれの情報を含むことができるが、本発明の実施例はこれに限定されない。
【０１７６】
図１０は本発明の別の実施例による通信方法４００の概略的なフローチャートである。
その中、Ｓ４１０〜Ｓ４６０がＳ３１０〜Ｓ３６０と類似し、簡潔するために、ここでは説明を省略する。
【０１７７】
Ｓ４６５において、端末装置は第一のノードへスケジューリングリクエストを送信し、アップリンクデータ伝送をリクエストする。
【０１７８】
Ｓ４７０において、第一のノードは端末装置から送信されたスケジューリングリクエストを受信し、且つ受信されたスケジューリングリクエストに応じて、ネットワークインタフェースを介して該端末装置に配置された少なくとも一つの伝送ノードにおける一部又は全部の伝送ノードへ第一のスケジューリングメッセージを送信することができ、該第一のスケジューリングメッセージが該端末装置に対するリソーススケジューリング情報を含むことができる。
【０１７９】
選択可能に、各伝送ノードのリソーススケジューリング情報は一つ又は複数のダウンリンクスケジューリング割り当て（ＤＬ  ＳＡ：ＤＬ  Ｓｃｈｅｄｕｌｉｎｇ  Ａｓｓｉｇｎｍｅｎｔ）及び／又は一つ又は複数のアップリンクグラント（ＵＬ  Ｇｒａｎｔ）を含むことができ、異なるＤＬ  ＳＡとＵＬ  Ｇｒａｎｔは異なる伝送リソース又は変調符号化方式などの伝送フォーマットに対応することができる。
【０１８０】
選択可能に、各ＤＬ  ＳＡ又はＵＬ  Ｇｒａｎｔの情報は該ＤＬ  ＳＡ又はＵＬ  Ｇｒａｎｔの番号情報を含むことができる。
【０１８１】
選択可能に、該少なくとも一つの伝送ノードにおける一部又は全部の伝送ノードは第二のノードを含むことができる。
【０１８２】
Ｓ４７５において、第一のノードはエアインタフェースを介して端末装置へ第二のスケジューリングメッセージを送信することができ、該第二のスケジューリングメッセージが一つ又は複数の伝送ノード（又は一つ又は複数のサービスセル）に対するダウンリンクスケジューリング割り当て及び／又はアップリンクグラントの情報を含むことができる。
【０１８３】
選択可能に、各伝送ノードに対するダウンリンクスケジューリング割り当て及び／又はアップリンクグラントの情報は該伝送ノードの識別子情報及び該ダウンリンクスケジューリング割り当て及び／又はアップリンクグラントの番号情報を含むことができる。
【０１８４】
Ｓ４８０において、端末装置は該第一のノードから送信された第二のスケジューリングメッセージを受信し、該第二のスケジューリングメッセージに基づいてデータ伝送を行うことができる。また、第二のノードは該第一のノードから送信された第一のスケジューリングメッセージを受信し、該第一のスケジューリングメッセージに基づいて端末装置とデータ伝送を行うことができる。
【０１８５】
一つの選択可能な実施例として、図１１に示すように、該第一のノードは伝送ノード１及び伝送ノード２と端末装置との間のデータ伝送をスケジューリングすることができ、その中、伝送ノード１及び伝送ノード２と端末装置との間の少なくとも一つのアップリンク伝送及び／又はダウンリンク伝送をそれぞれスケジューリングすることができるが、本発明の実施例はこれに限定されない。
【０１８６】
選択可能に、本発明の実施例では、第一のスケジューリングメッセージと第二のスケジューリングメッセージはそれぞれ図１２及び図１３に示す形態を有することができ、該第一のスケジューリングメッセージが伝送ノードの少なくとも一つのアップリンクグラント及び／又は少なくとも一つのダウンリンクスケジューリング割り当ての番号及び該各アップリンクグラント／ダウンリンクスケジューリング割り当ての伝送リソース及び／又は変調符号化方式などの情報を含むことができ、選択可能に、該第一のスケジューリングメッセージがさらに端末装置の識別子情報を含み、該少なくとも一つのアップリンクグラント及び／又は少なくとも一つのダウンリンクスケジューリング割り当てに対応する端末装置を示すことができる。第二のスケジューリングメッセージが複数の伝送ノードのそれぞれの識別子情報及び各伝送ノードの少なくとも一つのアップリンクグラント及び／又は少なくとも一つのダウンリンクスケジューリング割り当ての情報、又は複数のサービスセルのそれぞれの少なくとも一つのアップリンクグラント及び／又は少なくとも一つのダウンリンクスケジューリング割り当ての情報を含むことができるが、本発明の実施例はこれに限定されない。
【０１８７】
注意すべきものとして、図６〜図１３の例は当業者が本発明の実施例をより良く理解することを支援するためのものであり、本発明の実施例の範囲を限定するためのものではない。示された図６〜図１３の例に基づき、様々な同等の変更又は変形を行うことは当業者にとって明らかであり、このような変更又は変形も本発明の実施例の範囲に含まれる。
【０１８８】
理解すべきものとして、上記各プロセスのシーケンス番号が実行順序を意味するものではなく、各プロセスの実行順序がそれらの機能及び固有ロジックによって決定されるべきであり、本発明の実施例の実施プロセに対していかなる限定を構成するべきではない。
【０１８９】
以上に図３〜図１３と組み合わせ、本発明の実施例による通信方法を詳細に説明し、以下に図１４〜図２２と組み合わせ、本発明の実施例による通信装置を詳細に説明する。
【０１９０】
図１４は本発明の実施例による通信装置５００の概略的なブロック図である。該通信装置５００は処理ユニット５１０と該処理ユニット５１０に結合された送信ユニット５２０を備える。
【０１９１】
一つの選択可能な実施例では、該処理ユニット５１０は、第一の伝送配置メッセージを生成するように構成され、該第一の伝送配置メッセージが端末装置の第一の伝送ノードの少なくとも一つの第一のサービスセルのそれぞれの伝送配置情報を含み、各第一のサービスセルの伝送配置情報が該各第一のサービスセルの少なくとも一つの伝送配置セットのそれぞれの伝送技術情報及び／又は物理層パラメータ情報と、該伝送技術情報及び／又は該物理層パラメータ情報に対応する伝送リソースプール情報とを含み、該送信ユニット５２０は、該処理ユニット５１０によって生成された該第一の伝送配置メッセージを該第一の伝送ノードに送信するように構成される。
【０１９２】
選択可能に、該物理層パラメータ情報はサブキャリア間隔、フレーム構造、チップレート及び共通制御チャネル配置のうちの少なくとも一つを含む。
【０１９３】
選択可能に、該伝送技術情報は複信方式とマルチアクセス技術の少なくとも一つを含む。
【０１９４】
選択可能に、該伝送リソースプール情報は時間領域リソース、周波数領域リソース、コード領域リソースと空間領域リソースのうちの少なくとも一つを含む。
【０１９５】
選択可能に、各第一のサービスセルの伝送配置情報はさらに該各第一のサービスセルの少なくとも一つの伝送配置セットのそれぞれの番号情報を含む。
【０１９６】
選択可能に、各第一のサービスセルの伝送配置情報はさらに該各第一のサービスセルの少なくとも一つの伝送配置セットのそれぞれに対応する活性化指示、非活性化指示又は有効期限情報を含む。
【０１９７】
選択可能に、該送信ユニット５２０はさらに該端末装置へ第二の伝送配置メッセージを送信するように構成され、該第二の伝送配置メッセージが該端末装置の少なくとも一つのサービスセルのそれぞれの伝送配置情報を含み、該少なくとも一つのサービスセルが該少なくとも一つの第一のサービスセルを含む。
【０１９８】
選択可能に、該送信ユニット５２０はさらに該第一の伝送ノードへ第一のスケジューリングメッセージを送信するように構成され、該第一のスケジューリングメッセージが少なくとも一つの第一のターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該少なくとも一つの第一のサービスセルが該少なくとも一つの第一のターゲットサービスセルを含む。
【０１９９】
選択可能に、該制御ノードは該端末装置へ第二のスケジューリングメッセージを送信し、該第二のスケジューリングメッセージが該端末装置の少なくとも一つのターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含む。
【０２００】
選択可能に、該少なくとも一つのアップリンクグラントの情報は該少なくとも一つのアップリンクグラントのそれぞれに対応する伝送配置セットの番号情報を含む。
【０２０１】
選択可能に、該少なくとも一つのダウンリンクスケジューリング割り当ての情報は該少なくとも一つのダウンリンクスケジューリング割り当てのそれぞれに対応する伝送配置セットの番号情報を含む。
【０２０２】
選択可能に、該第一のスケジューリングメッセージはさらに該端末装置の識別子情報を含む。
【０２０３】
選択可能に、該送信ユニット５２０はさらに該処理ユニット５１０が第一の伝送配置メッセージを生成する前に、該端末装置の少なくとも一つの候補伝送ノードのそれぞれへ基準信号配置メッセージを送信するように構成され、該基準信号配置メッセージが該各候補伝送ノードの少なくとも一つの候補サービスセルのそれぞれのダウンリンク基準信号配置情報を含み、該少なくとも一つの候補伝送ノードが該第一の伝送ノードを含む。
【０２０４】
選択可能に、該送信ユニット５２０はさらに該端末装置へ測定報告リクエストを送信するように構成され、該測定報告リクエストが該端末装置の複数の候補サービスセルのそれぞれのダウンリンク基準信号配置情報を含み、該複数の候補サービスセルが該端末装置の少なくとも一つの候補伝送ノードに属する。
【０２０５】
この場合、該装置５００はさらに、該端末装置が該送信ユニット５２０から送信された該測定報告リクエストに応じて送信した測定レポートを受信するように構成され、該測定レポートが、該端末装置が該複数の候補サービスセルのそれぞれから送信されたダウンリンク基準信号を測定して得た測定結果を含む第一の受信ユニットを備え、
これに対応して、該処理ユニット５１０はさらに該第一の受信ユニットによって受信された該測定レポートに基づき、該複数の候補サービスセルから該端末装置の少なくとも一つのサービスセルを確定するように構成される。
【０２０６】
選択可能に、該ダウンリンク基準信号配置情報は時間周波数リソース情報、コード領域リソース情報及び空間領域リソース情報のうちの少なくとも一つを含み、該時間周波数リソース情報が少なくとも一つの物理リソースブロック情報を含む。
【０２０７】
選択可能に、該装置５００はさらに、該送信ユニット５２０が該端末装置の少なくとも一つの候補伝送ノードのそれぞれへ基準信号配置情報を送信する前に、該端末装置から送信されたリクエストメッセージを受信するように構成され、該リクエストメッセージが該端末装置の複数の候補サービスセルのそれぞれの識別子情報を含み、各候補サービスセルの識別子情報が、該各候補サービスセルの属する候補伝送ノードのノードタイプがタイプ１又はタイプ２であることを示すことに用いられ、該タイプ１のノードが制御ノードとして機能する能力を有し、該タイプ２のノードが制御ノードとして機能する能力を有しない第二の受信ユニットを備え、
これに対応して、該送信ユニット５２０は具体的に、該第二の受信ユニットによって受信された該リクエストメッセージに基づき、該端末装置の少なくとも一つの候補伝送ノードのそれぞれへ基準信号配置メッセージを送信するように構成される。
【０２０８】
選択可能に、該送信ユニット５２０はさらに、該処理ユニット５１０が第一の伝送配置メッセージを生成する前に、該端末装置へ該制御ノードのセルの識別子情報を送信するように構成され、該制御ノードのセルの識別子情報が、該制御ノードが制御ノードとして機能する能力を有することを示すことに用いられる。
【０２０９】
別の選択可能な実施例では、該処理ユニット５１０は基準信号配置メッセージを生成するように構成され、該基準信号配置メッセージが端末装置の少なくとも一つの第一の候補サービスセルのそれぞれのダウンリンク基準信号配置情報を含み、該ダウンリンク基準信号配置情報が時間周波数リソース情報、コード領域リソース情報と空間領域リソース情報のうちの少なくとも一つを含み、該時間領域リソース情報が少なくとも一つの物理リソースブロック情報を含み、該少なくとも一つの第一の候補サービスセルが該第一の候補伝送ノードに属し、該送信ユニット５２０は該処理ユニット５１０によって生成された該基準信号配置メッセージを該第一の候補伝送ノードに送信するように構成される。
【０２１０】
選択可能に、該送信ユニット５２０はさらに、該端末装置へ測定報告リクエストを送信するように構成され、該測定報告リクエストが該端末装置の少なくとも一つの候補サービスセルのそれぞれのダウンリンク基準信号配置情報を含み、該少なくとも一つの候補サービスセルが該少なくとも一つの第一の候補サービスセルを含む。
【０２１１】
この場合、該装置５００はさらに、該端末装置が該送信ユニット５２０から送信された該測定報告リクエストに応じて送信した測定レポートを受信するように構成され、該測定レポートが、該端末装置が該少なくとも一つの候補サービスセルのそれぞれから送信されたダウンリンク基準信号を測定して得た測定結果を含む受信ユニットを備え、
これに対応して、該処理ユニット５１０はさらに該受信ユニットによって受信された該測定レポートに基づき、該少なくとも一つの候補サービスセルから該端末装置の少なくとも一つのサービスセルを確定するように構成される。
【０２１２】
選択可能に、該受信ユニットはさらに、該送信ユニット５２０が端末装置へ測定報告リクエストを送信する前に、該端末装置から送信された該少なくとも一つの候補サービスセルのそれぞれの識別子情報を受信するように構成され、各候補サービスセルの識別子情報が該各候補サービスセルの属する候補伝送ノードのノードタイプがタイプ１又はタイプ２であることを示すことに用いられ、該タイプ１のノードが制御ノードとして機能する能力を有し、該タイプ２のノードが制御ノードとして機能する能力を有しなく、
これに対応して、該送信ユニット５２０は具体的に、該受信ユニットによって受信された該少なくとも一つの候補サービスセルのそれぞれの識別子情報に基づき、該端末装置へ測定報告リクエストを送信するように構成される。
【０２１３】
選択可能に、該送信ユニット５２０はさらに、該処理ユニット５１０が基準信号配置メッセージを生成する前に、該端末装置へ該制御ノードのセルの識別子情報を送信するように構成され、該制御ノードのセルの識別子情報が、該制御ノードが制御ノードとして機能する能力を有していることを示すことに用いられる。
【０２１４】
選択可能に、該送信ユニット５２０はさらに該第一の候補伝送ノードへ第一のスケジューリングメッセージを送信するように構成され、該第一のスケジューリングメッセージが該端末装置の少なくとも一つの第一のターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該少なくとも一つの第一の候補サービスセルが該少なくとも一つの第一のターゲットサービスセルを含む。
【０２１５】
選択可能に、該送信ユニット５２０はさらに該端末装置へ第二のスケジューリングメッセージを送信するように構成され、該第二のスケジューリングメッセージが該端末装置の少なくとも一つのターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含む。
【０２１６】
選択可能に、該第一のスケジューリングメッセージはさらに該端末装置の識別子情報を含む。
【０２１７】
別の選択可能な実施例では、該処理ユニット５１０は、第一のスケジューリングメッセージを生成するように構成されてもよく、該第一のスケジューリングメッセージが少なくとも一つの第一のターゲットサービスセルと端末装置の間のデータ伝送をスケジューリングするための少なくとも一つのアップリンクグラントの情報及び／又は少なくとも一つのダウンリンクスケジューリング割り当ての情報を含み、該少なくとも一つの第一のターゲットサービスセルが第一の伝送ノードに属し、該送信ユニット５２０は、該処理ユニット５１０によって生成された該第一のスケジューリングメッセージを該第一の伝送ノードに送信するように構成されてもよい。
【０２１８】
選択可能に、該第一のスケジューリングメッセージはさらに該端末装置の識別子情報を含む。
【０２１９】
選択可能に、該送信ユニット５２０はさらに、該端末装置へ第二のスケジューリングメッセージを送信するように構成され、該第二のスケジューリングメッセージが少なくとも一つのターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該少なくとも一つのターゲットサービスセルが該少なくとも一つの第一のターゲットサービスセルを含む。
【０２２０】
理解すべきものとして、ここでの装置５００は機能ユニットの形態で具体化されている。一つの選択可能な例では、当業者であれば、装置５００が具体的に上記実施例における制御ノードであってもよく、上記方法の実施例における制御ノードに対応する各プロセス及び／又はステップを実行することに用いられてもよいことは理解されるべきであり、重複を回避するために、ここで説明を省略する。
【０２２１】
図１５は本発明の別の実施例による通信装置６００の概略的なブロック図である。該通信装置６００は、
制御ノードから送信された第一の伝送配置メッセージを受信するように構成され、該第一の伝送配置メッセージが該装置の少なくとも一つの第一のサービスセルのそれぞれの伝送配置情報を含み、各第一のサービスセルの伝送配置情報が該各第一のサービスセルの少なくとも一つの伝送配置セットのそれぞれの伝送技術情報及び／又は物理層パラメータ情報と、該伝送技術情報及び／又は該物理層パラメータ情報に対応する伝送リソースプール情報とを含む受信ユニット６１０と、
該受信ユニット６１０によって受信された該第一の伝送配置メッセージに基づき、該少なくとも一つの第一のサービスセルを介して該端末装置と通信するように構成される通信ユニット６２０とを備える。
【０２２２】
例えば、該通信ユニット６２０は該第一の伝送配置メッセージに基づき、該少なくとも一つの第一のサービスセルを介して該端末装置と接続、例えばデータプレーン接続を確立することができる。
【０２２３】
選択可能に、該物理層パラメータ情報はサブキャリア間隔、フレーム構造、チップレート及び共通制御チャネル配置のうちの少なくとも一つを含む。
【０２２４】
選択可能に、該伝送技術情報は複信方式とマルチアクセス技術の少なくとも一つを含む。
【０２２５】
選択可能に、該伝送リソースプール情報は時間領域リソース、周波数領域リソース、コード領域リソースと空間領域リソースのうちの少なくとも一つを含む。
【０２２６】
選択可能に、各第一のサービスセルの伝送配置情報はさらに該各第一のサービスセルの少なくとも一つの伝送配置セットのそれぞれの番号情報を含む。
【０２２７】
選択可能に、各第一のサービスセルの伝送配置情報はさらに該各第一のサービスセルの少なくとも一つの伝送配置セットのそれぞれに対応する活性化指示、非活性化指示又は有効期限情報を含む。
【０２２８】
選択可能に、該受信ユニット６１０はさらに、該制御ノードから送信された第一のスケジューリングメッセージを受信するように構成され、該第一のスケジューリングメッセージが少なくとも一つの第一のターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該少なくとも一つの第一のサービスセルが該少なくとも一つの第一のターゲットサービスセルを含む。
【０２２９】
この場合、該装置６００はさらに、該受信ユニット６１０によって受信された該第一のスケジューリングメッセージに基づき、該少なくとも一つの第一のターゲットサービスセルを介して該端末装置とデータ伝送を行うように構成されるデータ伝送ユニットを備える。
【０２３０】
選択可能に、該少なくとも一つのアップリンクグラントの情報は該少なくとも一つのアップリンクグラントのそれぞれに対応する伝送配置セットの番号情報を含む。
【０２３１】
選択可能に、該少なくとも一つのダウンリンクスケジューリングメッセージは該少なくとも一つのダウンリンクスケジューリング割り当てのそれぞれに対応する伝送配置セットの番号情報を含む。
【０２３２】
選択可能に、該第一のスケジューリングメッセージはさらに該端末装置の識別子情報を含む。
【０２３３】
選択可能に、該受信ユニット６１０はさらに、制御ノードから送信された第一の伝送配置メッセージを受信する前に、該制御ノードから送信された基準信号配置メッセージを受信するように構成され、該基準信号配置メッセージが該第一の伝送ノードの少なくとも一つの候補サービスセルのダウンリンク基準信号配置情報を含み、該第一の伝送ノードの少なくとも一つの候補サービスセルが該少なくとも一つの第一のサービスセルを含み、
これに対応して、該装置６００はさらに、該受信ユニット６１０によって受信された該基準信号配置メッセージに基づき、該少なくとも一つの候補サービスセルを介してダウンリンク基準信号を送信するように構成される送信ユニットを備える。
【０２３４】
選択可能に、該ダウンリンク基準信号配置情報は時間周波数リソース情報、コード領域リソース情報及び空間領域リソース情報のうちの少なくとも一つを含み、該時間周波数リソース情報が少なくとも一つの物理リソースブロック情報を含む。
【０２３５】
選択可能に、該送信ユニットはさらに、該受信ユニット６１０が該制御ノードから送信された基準信号配置メッセージを受信する前に、該端末装置へ該第一の伝送ノードの少なくとも一つの候補サービスセルのそれぞれの識別子情報を送信するように構成され、各候補サービスセルの識別子情報が、該第一の伝送ノードのノードタイプがタイプ１又はタイプ２であることを示すことに用いられ、該タイプ１のノードが制御ノードとして機能する能力を有し、該タイプ２のノードが制御ノードとして機能する能力を有しない。
【０２３６】
理解すべきものとして、ここでの装置６００は機能ユニットの形態で具体化されている。一つの選択可能な例では、当業者であれば、装置６００が具体的に上記実施例における伝送ノードであってもよく、上記方法の実施例における伝送ノードに対応する各プロセス及び／又はステップを実行することに用いられてもよいことは理解されるべきであり、重複を回避するために、ここで説明を省略する。
【０２３７】
図１６は本発明の別の実施例による通信装置７００の概略図であり、該通信装置７００は、
制御ノードから送信された第二の伝送配置メッセージを受信するように構成され、該第二の伝送配置メッセージが該端末装置の少なくとも一つのサービスセルのそれぞれの伝送配置情報を含み、各サービスセルの伝送配置情報が該各サービスセルの少なくとも一つの伝送配置セットのそれぞれの伝送技術情報及び／又は物理層パラメータ情報と、該伝送技術情報及び／又は該物理層パラメータ情報に対応する伝送ソースプール情報とを含む受信ユニット７１０と、
該受信ユニット７１０によって受信された該第二の伝送配置メッセージに基づき、該少なくとも一つのサービスセルと通信するように構成される通信ユニット７２０とを備える。
【０２３８】
選択可能に、該受信ユニット７１０はさらに該制御ノードから送信された第二のスケジューリングメッセージを受信するように構成され、該第二のスケジューリングメッセージが少なくとも一つのターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該端末装置の少なくとも一つのサービスセルが該少なくとも一つのターゲットサービスセルを含み、
これに対応して、該装置７００はさらに、
該受信ユニット７１０によって受信された該第二のスケジューリングメッセージに基づき、該少なくとも一つのターゲットサービスセルとデータ伝送を行うように構成されるデータ伝送ユニットを備える。
【０２３９】
選択可能に、該受信ユニット７１０はさらに制御ノードから送信された第二の伝送配置メッセージを受信する前に、該制御ノードから送信された測定報告リクエストを受信するように構成され、該測定報告リクエストが該端末装置の少なくとも一つの候補サービスセルのそれぞれのダウンリンク基準信号配置情報を含み、該端末装置の少なくとも一つの候補サービスセルが該少なくとも一つのサービスセルを含み、
これに対応して、該装置７００はさらに、該受信ユニット７１０によって受信された該測定報告リクエストに応じて、該少なくとも一つの候補サービスセルのそれぞれから送信されたダウンリンク基準信号を測定するように構成される測定ユニットを備える。
【０２４０】
選択可能に、該ダウンリンク基準信号配置情報は時間周波数リソース情報、コード領域リソース情報と空間領域リソース情報のうちの少なくとも一つを含み、該時間周波数リソース情報が少なくとも一つの物理リソースブロック情報を含む。
【０２４１】
選択可能に、該受信ユニット７１０はさらに該制御ノードから送信された測定報告リクエストを受信する前に、複数のノードのうちの各ノードから送信された該各ノードの少なくとも一つのセルの識別子情報を受信するように構成され、各セルの識別子情報が該各セルの属するノードのノードタイプがタイプ１又はタイプ２であることを示すことに用いられ、該タイプ１のノードが制御ノードとして機能する能力を有し、該タイプ２のノードが制御ノードとして機能する能力を有しなく、該複数のノードが該制御ノード及び該少なくとも一つの伝送ノードを含み、
これに対応して、該装置７００はさらに、該受信ユニット７１０によって受信された複数のセルのうちの各セルの識別子情報に基づき、該制御ノードと該少なくとも一つの伝送ノードを確定するように構成される処理ユニットを備える。
【０２４２】
理解すべきものとして、ここでの該装置７００は機能ユニットの形態で具体化されている。一つの選択可能な例では、当業者であれば、装置７００が具体的に上記実施例における端末装置であってもよく、上記方法の実施例における端末装置に対応する各プロセス及び／又はステップを実行することに用いられてもよいことは理解されるべきであり、重複を回避するために、ここで説明を省略する。
【０２４３】
図１７は本発明の別の実施例による通信装置８００の概略図であり、該通信装置８００は、
制御ノードから送信された基準信号配置メッセージを受信するように構成され、該基準信号配置メッセージが端末装置の少なくとも一つの第一の候補サービスセルのそれぞれのダウンリンク基準信号配置情報を含み、該ダウンリンク基準信号配置情報が時間周波数リソース情報、コード領域リソース情報と空間領域リソース情報のうちの少なくとも一つを含み、該時間領域リソース情報が少なくとも一つの物理リソースブロック情報を含み、該少なくとも一つの第一の候補サービスセルが該装置に属する受信ユニット８１０と、
該受信ユニット８１０によって受信された該基準信号配置メッセージに基づき、該少なくとも一つの第一の候補サービスセルを介してダウンリンク基準信号を送信するように構成される送信ユニット８２０とを備える。
【０２４４】
選択可能に、該送信ユニット８２０はさらに、該受信ユニット８１０が制御ノードから送信された基準信号配置メッセージを受信する前に、端末装置へ該少なくとも一つの第一の候補サービスセルのそれぞれの識別子情報を送信するように構成され、各第一の候補サービスセルの識別子情報が、該第一のノードのノードタイプがタイプ１又はタイプ２であることを示すことに用いられ、該タイプ１のノードが制御ノードとして機能する能力を有し、該タイプ２のノードが制御ノードとして機能する能力を有しない。
【０２４５】
選択可能に、該受信ユニット８１０はさらに該制御ノードから送信された第一のスケジューリングメッセージを受信するように構成され、該第一のスケジューリングメッセージが少なくとも一つの第一のターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該少なくとも一つの第一の候補サービスセルが該少なくとも一つの第一のターゲットサービスセルを含み、
これに対応して、該装置８００はさらに、該受信ユニット８１０によって受信された該第一のスケジューリングメッセージに基づき、該少なくとも一つの第一のターゲットサービスセルを介して該端末装置とデータ伝送を行うように構成されるデータ伝送ユニットを備える。
【０２４６】
選択可能に、該少なくとも一つのアップリンクグラントの情報は該少なくとも一つのアップリンクグラントのそれぞれに対応する伝送配置セットの番号情報を含む。
【０２４７】
選択可能に、該少なくとも一つのダウンリンクスケジューリング割り当ての情報は該少なくとも一つのダウンリンクスケジューリング割り当てのそれぞれに対応する伝送配置セットの番号情報を含む。
【０２４８】
選択可能に、該第一のスケジューリングメッセージはさらに該端末装置の識別子情報を含む。
【０２４９】
理解すべきものとして、ここでの装置８００は機能ユニットの形態で具体化されている。一つの選択可能な例では、当業者であれば、装置８００が具体的に上記実施例における伝送ノードであってもよく、上記方法の実施例における伝送ノードに対応する各プロセス及び／又はステップを実行することに用いられてもよいことは理解されるべきであり、重複を回避するために、ここで説明を省略する。
【０２５０】
図１８は本発明の別の実施例による通信装置９００の概略図であり、該通信装置９００は、
制御ノードから送信された測定報告リクエストを受信するように構成され、該測定報告リクエストが該端末装置の少なくとも一つの候補サービスセルのそれぞれのダウンリンク基準信号配置情報を含み、該ダウンリンク基準信号配置情報が時間周波数リソース情報、コード領域リソース情報と空間領域リソース情報のうちの少なくとも一つを含み、該時間領域リソース情報が少なくとも一つの物理リソースブロック情報を含む受信ユニット９１０と、
該受信ユニット９１０によって受信された該測定報告リクエストに応じて、該少なくとも一つの候補サービスセルのそれぞれから送信されたダウンリンク基準信号を測定するように構成される測定ユニット９２０とを備える。
【０２５１】
選択可能に、該受信ユニット９１０はさらに、制御ノードから送信された測定報告リクエストを受信する前に、該少なくとも一つの候補サービスセルのそれぞれの識別子情報を受信するように構成され、各候補サービスセルの識別子情報が、該各候補サービスセルのノードタイプがタイプ１又はタイプ２であることを示すことに用いられ、該タイプ１のノードが制御ノードとして機能する能力を有し、該タイプ２のノードが制御ノードとして機能する能力を有しない。
【０２５２】
この場合、該装置９００はさらに、該制御ノードへリクエストメッセージを送信するように構成され、該リクエストメッセージが該受信ユニット９１０によって受信された該少なくとも一つの候補サービスセルのそれぞれの識別子情報を含む送信ユニットを備え、
これに対応して、該受信ユニット９１０はさらに該制御ノードが該送信ユニットから送信された該リクエストメッセージに基づいて送信した測定報告リクエストを受信するように構成される。
【０２５３】
選択可能に、該受信ユニット９１０はさらに該制御ノードから送信された第二のスケジューリングメッセージを受信するように構成され、該第二のスケジューリングメッセージが少なくとも一つのターゲットサービスセルと該端末装置の間のデータ伝送をスケジューリングするための少なくとも一つのアップリンクグラントの情報及び／又は少なくとも一つのダウンリンクスケジューリング割り当ての情報を含み、該少なくとも一つの候補サービスセルが該少なくとも一つのターゲットサービスセルを含む。
【０２５４】
選択可能に、該少なくとも一つのアップリンクグラントの情報は該少なくとも一つのアップリンクグラントのそれぞれに対応する伝送配置セットの番号情報を含む。
【０２５５】
選択可能に、該少なくとも一つのダウンリンクスケジューリング割り当ての情報は該少なくとも一つのダウンリンクスケジューリング割り当てのそれぞれに対応する伝送配置セットの番号情報を含む。
【０２５６】
理解すべきものとして、ここでの装置９００は機能ユニットの形態で具体化されている。一つの選択可能な例では、当業者であれば、装置９００が具体的に上記実施例における端末装置であってもよく、上記方法の実施例における端末装置に対応する各プロセス及び／又はステップを実行することに用いられてもよいことは理解されるべきであり、重複を回避するために、ここで説明を省略する。
【０２５７】
図１９は本発明の別の実施例による通信装置１０００の概略図であり、該通信装置１０００は、
制御ノードから送信された第一のスケジューリングメッセージを受信するように構成され、該第一のスケジューリングメッセージが該装置の少なくとも一つの第一のターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含む受信ユニット１０１０と、
該受信ユニット１０１０によって受信された該第一のスケジューリングメッセージに基づき、該少なくとも一つの第一のターゲットサービスセルを介して該端末装置とデータ伝送を行うように構成されるデータ伝送ユニット１０２０とを備える。
【０２５８】
理解すべきものとして、ここでの装置１０００は機能ユニットの形態で具体化されている。一つの選択可能な例では、当業者であれば、装置１０００が具体的に上記実施例における伝送ノードであってもよく、上記方法の実施例における伝送ノードに対応する各プロセス及び／又はステップを実行することに用いられてもよいことは理解されるべきであり、重複を回避するために、ここで説明を省略する。
【０２５９】
理解すべきものとして、本明細書での用語「ユニット」は特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、一つ又は複数のソフトウェア又はファームウェアプログラムを実行するためのプロセッサ（例えば共有プロセッサ、プロプライエタリプロセッサ又はグループプロセッサなど）とメモリ、組み合わせ論理回路及び／又は記述された機能をサポートする他の適切な構成要素を指すことができる。
【０２６０】
図２０は本発明の実施例による通信装置１１００の概略的なブロック図である。該通信装置１１００は、プロセッサ１１１０と該プロセッサ１１１０に結合された送信機１１２０を備える。
【０２６１】
一つの選択可能な実施例では、該プロセッサ１１１０は第一の伝送配置メッセージを生成するように構成され、該第一の伝送配置メッセージが端末装置の第一の伝送ノードの少なくとも一つの第一のサービスセルのそれぞれの伝送配置情報を含み、各第一のサービスセルの伝送配置情報が該各第一のサービスセルの少なくとも一つの伝送配置セットのそれぞれの伝送技術情報及び／又は物理層パラメータ情報と、該伝送技術情報及び／又は該物理層パラメータ情報に対応する伝送リソースプール情報とを含み、該送信機１１２０は、該処理ユニット１１１０によって生成された該第一の伝送配置メッセージを該第一の伝送ノードに送信するように構成される。
【０２６２】
選択可能に、該物理層パラメータ情報はサブキャリア間隔、フレーム構造、チップレート及び共通制御チャネル配置のうちの少なくとも一つを含む。
【０２６３】
選択可能に、該伝送技術情報は複信方式とマルチアクセス技術の少なくとも一つを含む。
【０２６４】
選択可能に、該伝送リソースプール情報は時間領域リソース、周波数領域リソース、コード領域リソースと空間領域リソースのうちの少なくとも一つを含む。
【０２６５】
選択可能に、各第一のサービスセルの伝送配置情報はさらに該各第一のサービスセルの少なくとも一つの伝送配置セットのそれぞれの番号情報を含む。
【０２６６】
選択可能に、各第一のサービスセルの伝送配置情報はさらに該各第一のサービスセルの少なくとも一つの伝送配置セットのそれぞれに対応する活性化指示、非活性化指示又は有効期限情報を含む。
【０２６７】
選択可能に、該送信機１１２０はさらに該端末装置へ第二の伝送配置メッセージを送信するように構成され、該第二の伝送配置メッセージが該端末装置の少なくとも一つのサービスセルのそれぞれの伝送配置情報を含み、該少なくとも一つのサービスセルが該少なくとも一つの第一のサービスセルを含む。
【０２６８】
選択可能に、該送信機１１２０はさらに該第一の伝送ノードへ第一のスケジューリングメッセージを送信するように構成され、該第一のスケジューリングメッセージが少なくとも一つの第一のターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該少なくとも一つの第一のサービスセルが該少なくとも一つの第一のターゲットサービスセルを含む。
【０２６９】
選択可能に、該制御ノードは該端末装置へ第二のスケジューリングメッセージを送信し、該第二のスケジューリングメッセージが該端末装置の少なくとも一つのターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含む。
【０２７０】
選択可能に、該少なくとも一つのアップリンクグラントの情報は該少なくとも一つのアップリンクグラントのそれぞれに対応する伝送配置セットの番号情報を含む。
【０２７１】
選択可能に、該少なくとも一つのダウンリンクスケジューリング割り当ての情報は該少なくとも一つのダウンリンクスケジューリング割り当てのそれぞれに対応する伝送配置セットの番号情報を含む。
【０２７２】
選択可能に、該第一のスケジューリングメッセージはさらに該端末装置の識別子情報を含む。
【０２７３】
選択可能に、該送信機１１２０はさらに該プロセッサ１１１０が第一の伝送配置メッセージを生成する前に、該端末装置の少なくとも一つの候補伝送ノードのそれぞれへ基準信号配置メッセージを送信するように構成され、該基準信号配置メッセージが該各候補伝送ノードの少なくとも一つの候補サービスセルのそれぞれのダウンリンク基準信号配置情報を含み、該少なくとも一つの候補伝送ノードが該第一の伝送ノードを含む。
【０２７４】
選択可能に、該送信機１１２０はさらに該端末装置へ測定報告リクエストを送信するように構成され、該測定報告リクエストが該端末装置の複数の候補サービスセルのそれぞれのダウンリンク基準信号配置情報を含み、該複数の候補サービスセルが該端末装置の少なくとも一つの候補伝送ノードに属する。
【０２７５】
この場合、該装置１１００はさらに、該端末装置が該送信機１１２０から送信された該測定報告リクエストに応じて送信した測定レポートを受信するように構成され、該測定レポートが、該端末装置が該複数の候補サービスセルのそれぞれから送信されたダウンリンク基準信号を測定して得た測定結果を含む受信機を備え、
これに対応して、該プロセッサ１１１０はさらに該受信機によって受信された該測定レポートに基づき、該複数の候補サービスセルから該端末装置の少なくとも一つのサービスセルを確定するように構成される。
【０２７６】
選択可能に、該ダウンリンク基準信号配置情報は時間周波数リソース情報、コード領域リソース情報及び空間領域リソース情報のうちの少なくとも一つを含み、該時間周波数リソース情報が少なくとも一つの物理リソースブロック情報を含む。
【０２７７】
選択可能に、該装置１１００はさらに、該送信機１１２０が該端末装置の少なくとも一つの候補伝送ノードのそれぞれへ基準信号配置情報を送信する前に、該端末装置から送信されたリクエストメッセージを受信するように構成され、該リクエストメッセージが該端末装置の複数の候補サービスセルのそれぞれの識別子情報を含み、各候補サービスセルの識別子情報が、該各候補サービスセルの属する候補伝送ノードのノードタイプがタイプ１又はタイプ２であることを示すことに用いられ、該タイプ１のノードが制御ノードとして機能する能力を有し、該タイプ２のノードが制御ノードとして機能する能力を有しない受信機を備え、
これに対応して、該送信機１１２０は具体的に、該受信機によって受信された該リクエストメッセージに基づき、該端末装置の少なくとも一つの候補伝送ノードのそれぞれへ基準信号配置メッセージを送信するように構成される。
【０２７８】
選択可能に、該送信機１１２０はさらに、該プロセッサ１１１０が第一の伝送配置メッセージを生成する前に、該端末装置へ該制御ノードのセルの識別子情報を送信するように構成され、該制御ノードのセルの識別子情報が、該制御ノードが制御ノードとして機能する能力を有することを示すことに用いられる。
【０２７９】
別の選択可能な実施例では、該プロセッサ１１１０は基準信号配置メッセージを生成するように構成され、該基準信号配置メッセージが端末装置の少なくとも一つの第一の候補サービスセルのそれぞれのダウンリンク基準信号配置情報を含み、該ダウンリンク基準信号配置情報が時間周波数リソース情報、コード領域リソース情報と空間領域リソース情報のうちの少なくとも一つを含み、該時間領域リソース情報が少なくとも一つの物理リソースブロック情報を含み、該少なくとも一つの第一の候補サービスセルが該第一の候補伝送ノードに属し、該送信機１１２０は該プロセッサ１１１０によって生成された該基準信号配置メッセージを該第一の候補伝送ノードに送信するように構成される。
【０２８０】
選択可能に、該送信機１１２０はさらに、該端末装置へ測定報告リクエストを送信するように構成され、該測定報告リクエストが該端末装置の少なくとも一つの候補サービスセルのそれぞれのダウンリンク基準信号配置情報を含み、該少なくとも一つの候補サービスセルが該少なくとも一つの第一の候補サービスセルを含む。
【０２８１】
この場合、該装置１１００はさらに、該端末装置が該送信機１１２０から送信された該測定報告リクエストに応じて送信した測定レポートを受信するように構成され、該測定レポートが、該端末装置が該少なくとも一つの候補サービスセルのそれぞれから送信されたダウンリンク基準信号を測定して得た測定結果を含む受信機を備え、
これに対応して、該プロセッサ１１１０はさらに該受信機によって受信された該測定レポートに基づき、該少なくとも一つの候補サービスセルから該端末装置の少なくとも一つのサービスセルを確定するように構成される。
【０２８２】
選択可能に、該受信機はさらに、該送信機１１２０が端末装置へ測定報告リクエストを送信する前に、該端末装置から送信された該少なくとも一つの候補サービスセルのそれぞれの識別子情報を受信するように構成され、各候補サービスセルの識別子情報が該各候補サービスセルの属する候補伝送ノードのノードタイプがタイプ１又はタイプ２であることを示すことに用いられ、該タイプ１のノードが制御ノードとして機能する能力を有し、該タイプ２のノードが制御ノードとして機能する能力を有さず、
これに対応して、該送信機１１２０は具体的に、該受信機によって受信された該少なくとも一つの候補サービスセルのそれぞれの識別子情報に基づき、該端末装置へ測定報告リクエストを送信するように構成される。
【０２８３】
選択可能に、該送信機１１２０はさらに、該プロセッサ１１１０が基準信号配置メッセージを生成する前に、該端末装置へ該制御ノードのセルの識別子情報を送信するように構成され、該制御ノードのセルの識別子情報が、該制御ノードが制御ノードとして機能する能力を有していることを示すことに用いられる。
【０２８４】
選択可能に、該送信機１１２０はさらに該第一の候補伝送ノードへ第一のスケジューリングメッセージを送信するように構成され、該第一のスケジューリングメッセージが該端末装置の少なくとも一つの第一のターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該少なくとも一つの第一の候補サービスセルが該少なくとも一つの第一のターゲットサービスセルを含む。
【０２８５】
選択可能に、該送信機１１２０はさらに該端末装置へ第二のスケジューリングメッセージを送信するように構成され、該第二のスケジューリングメッセージが該端末装置の少なくとも一つのターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含む。
【０２８６】
選択可能に、該第一のスケジューリングメッセージはさらに該端末装置の識別子情報を含む。
【０２８７】
別の選択可能な実施例では、該プロセッサ１１１０は、第一のスケジューリングメッセージを生成するように構成されてもよく、該第一のスケジューリングメッセージが少なくとも一つの第一のターゲットサービスセルと端末装置の間のデータ伝送をスケジューリングするための少なくとも一つのアップリンクグラントの情報及び／又は少なくとも一つのダウンリンクスケジューリング割り当ての情報を含み、該少なくとも一つの第一のターゲットサービスセルが第一の伝送ノードに属し、該送信機１１２０は、該プロセッサ１１１０によって生成された該第一のスケジューリングメッセージを該第一の伝送ノードに送信するように構成されてもよい。
【０２８８】
選択可能に、該第一のスケジューリングメッセージはさらに該端末装置の識別子情報を含む。
【０２８９】
選択可能に、該送信機１１２０はさらに、該端末装置へ第二のスケジューリングメッセージを送信するように構成され、該第二のスケジューリングメッセージが少なくとも一つのターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該少なくとも一つのターゲットサービスセルが該少なくとも一つの第一のターゲットサービスセルを含む。
【０２９０】
理解すべきものとして、装置１１００は具体的に上記実施例における制御ノードであってもよく、上記方法の実施例における制御ノードに対応する各プロセス及び／又はステップを実行することに用いられてもよい。選択可能に、装置１１００はさらにメモリを備えることができ、該メモリが読み出し専用メモリとランダムアクセスメモリを含むことができ、且つプロセッサへ命令及びデータを提供する。メモリの一部はさらに不揮発性ランダムアクセスメモリを含むことができる。例えば、メモリはさらに装置タイプの情報を記憶することができる。該プロセッサはメモリに記憶された命令を実行することに用いられてもよく、且つ該プロセッサが該命令を実行する場合、該プロセッサは上記方法の実施例における端末装置に対応する各ステップを実行することができる。
【０２９１】
図２１は本発明の別の実施例による通信装置１２００の概略的なブロック図である。該通信装置１２００は送受信機１２１０とプロセッサ１２２０を備える。
【０２９２】
一つの選択可能な実施例では、該送受信機１２１０は制御ノードから送信された第一の伝送配置メッセージを受信するように構成され、該第一の伝送配置メッセージが該装置の少なくとも一つの第一のサービスセルのそれぞれの伝送配置情報を含み、各第一のサービスセルの伝送配置情報が該各第一のサービスセルの少なくとも一つの伝送配置セットのそれぞれの伝送技術情報及び／又は物理層パラメータ情報と、該伝送技術情報及び／又は該物理層パラメータ情報に対応する伝送リソースプール情報とを含み、該プロセッサ１２２０は該送受信機１２１０によって受信された該第一の伝送配置メッセージに基づき、該少なくとも一つの第一のサービスセルを介して該端末装置と通信するように構成される。
【０２９３】
選択可能に、該物理層パラメータ情報はサブキャリア間隔、フレーム構造、チップレート及び共通制御チャネル配置のうちの少なくとも一つを含む。
【０２９４】
選択可能に、該伝送技術情報は複信方式とマルチアクセス技術の少なくとも一つを含む。
【０２９５】
選択可能に、該伝送リソースプール情報は時間領域リソース、周波数領域リソース、コード領域リソースと空間領域リソースのうちの少なくとも一つを含む。
【０２９６】
選択可能に、各第一のサービスセルの伝送配置情報はさらに該各第一のサービスセルの少なくとも一つの伝送配置セットのそれぞれの番号情報を含む。
【０２９７】
選択可能に、各第一のサービスセルの伝送配置情報はさらに該各第一のサービスセルの少なくとも一つの伝送配置セットのそれぞれに対応する活性化指示、非活性化指示又は有効期限情報を含む。
【０２９８】
選択可能に、該送受信機１２１０はさらに、該制御ノードから送信された第一のスケジューリングメッセージを受信するように構成され、該第一のスケジューリングメッセージが少なくとも一つの第一のターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該少なくとも一つの第一のサービスセルが該少なくとも一つの第一のターゲットサービスセルを含む。
【０２９９】
この場合、該プロセッサ１２２０はさらに、該送受信機１２１０によって受信された該第一のスケジューリングメッセージに基づき、該少なくとも一つの第一のターゲットサービスセルを介して該端末装置とデータ伝送を行うように構成される。
【０３００】
選択可能に、該少なくとも一つのアップリンクグラントの情報は該少なくとも一つのアップリンクグラントのそれぞれに対応する伝送配置セットの番号情報を含む。
【０３０１】
選択可能に、該少なくとも一つのダウンリンクスケジューリングメッセージは該少なくとも一つのダウンリンクスケジューリング割り当てのそれぞれに対応する伝送配置セットの番号情報を含む。
【０３０２】
選択可能に、該第一のスケジューリングメッセージはさらに該端末装置の識別子情報を含む。
【０３０３】
選択可能に、該送受信機１２１０はさらに、制御ノードから送信された第一の伝送配置メッセージを受信する前に、該制御ノードから送信された基準信号配置メッセージを受信するように構成され、該基準信号配置メッセージが該第一の伝送ノードの少なくとも一つの候補サービスセルのダウンリンク基準信号配置情報を含み、該第一の伝送ノードの少なくとも一つの候補サービスセルが該少なくとも一つの第一のサービスセルを含み、
これに対応して、該送受信機１２１０はさらに、受信された該基準信号配置メッセージに基づき、該少なくとも一つの候補サービスセルを介してダウンリンク基準信号を送信するように構成される。
【０３０４】
選択可能に、該ダウンリンク基準信号配置情報は時間周波数リソース情報、コード領域リソース情報及び空間領域リソース情報のうちの少なくとも一つを含み、該時間周波数リソース情報が少なくとも一つの物理リソースブロック情報を含む。
【０３０５】
選択可能に、該送受信機１２１０はさらに、該制御ノードから送信された基準信号配置メッセージを受信する前に、該端末装置へ該第一の伝送ノードの少なくとも一つの候補サービスセルのそれぞれの識別子情報を送信するように構成され、各候補サービスセルの識別子情報が、該第一の伝送ノードのノードタイプがタイプ１又はタイプ２であることを示すことに用いられ、該タイプ１のノードが制御ノードとして機能する能力を有し、該タイプ２のノードが制御ノードとして機能する能力を有しない。
【０３０６】
別の選択可能な実施例では、該送受信機１２１０は、制御ノードから送信された基準信号配置メッセージを受信し、該基準信号配置メッセージが端末装置の少なくとも一つの第一の候補サービスセルのそれぞれのダウンリンク基準信号配置情報を含み、該ダウンリンク基準信号配置情報が時間周波数リソース情報、コード領域リソース情報と空間領域リソース情報のうちの少なくとも一つを含み、該時間領域リソース情報が少なくとも一つの物理リソースブロック情報を含み、該少なくとも一つの第一の候補サービスセルが該装置に属し、及び受信された該基準信号配置メッセージに基づき、該少なくとも一つの第一の候補サービスセルを介してダウンリンク基準信号を送信するように構成される。
【０３０７】
該送受信機１２１０はさらに、制御ノードから送信された基準信号配置メッセージを受信する前に、端末装置へ該少なくとも一つの第一の候補サービスセルのそれぞれの識別子情報を送信するように構成され、各第一の候補サービスセルの識別子情報が、該第一のノードのノードタイプがタイプ１又はタイプ２であることを示すことに用いられ、該タイプ１のノードが制御ノードとして機能する能力を有し、該タイプ２のノードが制御ノードとして機能する能力を有しない。
【０３０８】
選択可能に、該送受信機１２１０はさらに該制御ノードから送信された第一のスケジューリングメッセージを受信するように構成され、該第一のスケジューリングメッセージが少なくとも一つの第一のターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該少なくとも一つの第一の候補サービスセルが該少なくとも一つの第一のターゲットサービスセルを含み、
これに対応して、該プロセッサ１２２０は該送受信機１２１０によって受信された該第一のスケジューリングメッセージに基づき、該少なくとも一つの第一のターゲットサービスセルを介して該端末装置とデータ伝送を行うように構成される。
【０３０９】
選択可能に、該少なくとも一つのアップリンクグラントの情報は該少なくとも一つのアップリンクグラントのそれぞれに対応する伝送配置セットの番号情報を含む。
【０３１０】
選択可能に、該少なくとも一つのダウンリンクスケジューリング割り当ての情報は該少なくとも一つのダウンリンクスケジューリング割り当てのそれぞれに対応する伝送配置セットの番号情報を含む。
【０３１１】
選択可能に、該第一のスケジューリングメッセージはさらに該端末装置の識別子情報を含む。
【０３１２】
別の選択可能な実施例では、該送受信機１２１０は制御ノードから送信された第一のスケジューリングメッセージを受信するように構成され、該第一のスケジューリングメッセージが該装置の少なくとも一つの第一のターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該プロセッサ１２２０は、該送受信機１２１０によって受信された該第一のスケジューリングメッセージに基づき、該少なくとも一つの第一のターゲットサービスセルを介して該端末装置とデータ伝送を行うように構成される。
【０３１３】
理解すべきものとして、装置１２００は具体的に上記実施例における伝送ノードであってもよく、上記方法の実施例における伝送ノードに対応する各プロセス及び／又はステップを実行することに用いられてもよい。選択可能に、装置１２００はさらにメモリを備えることができ、該メモリが読み出し専用メモリとランダムアクセスメモリを含むことができ、且つプロセッサへ命令及びデータを提供する。メモリの一部はさらに不揮発性ランダムアクセスメモリを含むことができる。例えば、メモリはさらに装置タイプの情報を記憶することができる。該プロセッサはメモリに記憶された命令を実行することに用いられてもよく、且つ該プロセッサが該命令を実行する場合、該プロセッサは上記方法の実施例における端末装置に対応する各ステップを実行することができる。
【０３１４】
図２２は本発明の別の実施例による通信装置１３００を示す図であり、該通信装置１３００は送受信機１３１０とプロセッサ１３２０を備える。
【０３１５】
一つの選択可能な実施例では、該送受信機１３１０は制御ノードから送信された第二の伝送配置メッセージを受信するように構成され、該第二の伝送配置メッセージが該端末装置の少なくとも一つのサービスセルのそれぞれの伝送配置情報を含み、各サービスセルの伝送配置情報が該各サービスセルの少なくとも一つの伝送配置セットのそれぞれの伝送技術情報及び／又は物理層パラメータ情報と、該伝送技術情報及び／又は該物理層パラメータ情報に対応する伝送ソースプール情報とを含み、該プロセッサ１３２０は該送受信機１３１０によって受信された該第二の伝送配置メッセージに基づき、該少なくとも一つのサービスセルと通信するように構成される。
【０３１６】
選択可能に、該送受信機１３１０はさらに該制御ノードから送信された第二のスケジューリングメッセージを受信するように構成され、該第二のスケジューリングメッセージが少なくとも一つのターゲットサービスセルのそれぞれと該端末装置の間のデータ伝送をスケジューリングするための少なくとも一つのアップリンクグラントの情報及び／又は少なくとも一つのダウンリンクスケジューリング割り当ての情報を含み、該端末装置の少なくとも一つのサービスセルが該少なくとも一つのターゲットサービスセルを含み、
これに対応して、該プロセッサ１３２０はさらに、該送受信機１３１０によって受信された該第二のスケジューリングメッセージに基づき、該少なくとも一つのターゲットサービスセルとデータ伝送を行うように構成される。
【０３１７】
選択可能に、該送受信機１３１０はさらに、制御ノードから送信された第二の伝送配置メッセージを受信する前に、該制御ノードから送信された測定報告リクエストを受信するように構成され、該測定報告リクエストが該端末装置の少なくとも一つの候補サービスセルのそれぞれのダウンリンク基準信号配置情報を含み、該端末装置の少なくとも一つの候補サービスセルが該少なくとも一つのサービスセルを含み、
これに対応して、該プロセッサ１３２０はさらに、該送受信機１３１０によって受信された該測定報告リクエストに応じて、該少なくとも一つの候補サービスセルのそれぞれから送信されたダウンリンク基準信号を測定するように構成される。
【０３１８】
選択可能に、該ダウンリンク基準信号配置情報は時間周波数リソース情報、コード領域リソース情報と空間領域リソース情報のうちの少なくとも一つを含み、該時間周波数リソース情報が少なくとも一つの物理リソースブロック情報を含む。
【０３１９】
選択可能に、該送受信機１３１０はさらに該制御ノードから送信された測定報告リクエストを受信する前に、複数のノードのうちの各ノードから送信された該各ノードの少なくとも一つのセルの識別子情報を受信するように構成され、各セルの識別子情報が該各セルの属するノードのノードタイプがタイプ１又はタイプ２であることを示すことに用いられ、該タイプ１のノードが制御ノードとして機能する能力を有し、該タイプ２のノードが制御ノードとして機能する能力を有しなく、該複数のノードが該制御ノード及び該少なくとも一つの伝送ノードを含み、
これに対応して、該プロセッサ１３２０はさらに、該送受信機１３１０によって受信された複数のセルのうちの各セルの識別子情報に基づき、該制御ノードと該少なくとも一つの伝送ノードを確定するように構成される。
【０３２０】
別の選択可能な実施例では、該送受信機１３１０は制御ノードから送信された測定報告リクエストを受信するように構成され、該測定報告リクエストが該端末装置の少なくとも一つの候補サービスセルのそれぞれのダウンリンク基準信号配置情報を含み、該ダウンリンク基準信号配置情報が時間周波数リソース情報、コード領域リソース情報と空間領域リソース情報のうちの少なくとも一つを含み、該時間領域リソース情報が少なくとも一つの物理リソースブロック情報を含み、該プロセッサ１３２０は該送受信機１３１０によって受信された該測定報告リクエストに応じて、該少なくとも一つの候補サービスセルのそれぞれから送信されたダウンリンク基準信号を測定するように構成される。
【０３２１】
選択可能に、該送受信機１３１０はさらに、制御ノードから送信された測定報告リクエストを受信する前に、該少なくとも一つの候補サービスセルのそれぞれの識別子情報を受信し、各候補サービスセルの識別子情報が、該各候補サービスセルのノードタイプがタイプ１又はタイプ２であることを示すことに用いられ、該タイプ１のノードが制御ノードとして機能する能力を有し、該タイプ２のノードが制御ノードとして機能する能力を有しなく、
該制御ノードへリクエストメッセージを送信し、該リクエストメッセージが該送受信機１３１０によって受信された該少なくとも一つの候補サービスセルのそれぞれの識別子情報を含み、
該制御ノードが該送受信機から送信された該リクエストメッセージに基づいて送信した測定報告リクエストを受信するように構成される。
【０３２２】
選択可能に、該送受信機１３１０はさらに該制御ノードから送信された第二のスケジューリングメッセージを受信するように構成され、該第二のスケジューリングメッセージが少なくとも一つのターゲットサービスセルと該端末装置の間のデータ伝送をスケジューリングするための少なくとも一つのアップリンクグラントの情報及び／又は少なくとも一つのダウンリンクスケジューリング割り当ての情報を含み、該少なくとも一つの候補サービスセルが該少なくとも一つのターゲットサービスセルを含む。
【０３２３】
選択可能に、該少なくとも一つのアップリンクグラントの情報は該少なくとも一つのアップリンクグラントのそれぞれに対応する伝送配置セットの番号情報を含む。
【０３２４】
選択可能に、該少なくとも一つのダウンリンクスケジューリング割り当ての情報は該少なくとも一つのダウンリンクスケジューリング割り当てのそれぞれに対応する伝送配置セットの番号情報を含む。
【０３２５】
理解すべきものとして、装置１３００は具体的に上記実施例における端末装置であってもよく、上記方法の実施例における端末装置に対応する各プロセス及び／又はステップを実行することに用いられてもよい。選択可能に、装置１３００はさらにメモリを備えることができ、該メモリが読み出し専用メモリとランダムアクセスメモリを含むことができ、且つプロセッサへ命令及びデータを提供する。メモリの一部はさらに不揮発性ランダムアクセスメモリを含むことができる。例えば、メモリはさらに装置タイプの情報を記憶することができる。該プロセッサはメモリに記憶された命令を実行することに用いられてもよく、且つ該プロセッサが該命令を実行する場合、該プロセッサは上記方法の実施例における端末装置に対応する各ステップを実行することができる。
【０３２６】
理解すべきものとして、本発明の実施例では、該プロセッサは中央処理ユニット（ＣＰＵ：Ｃｅｎｔｒａｌ  Ｐｒｏｃｅｓｓｉｎｇ  Ｕｎｉｔ）であってもよく、該プロセッサはさらに他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブル論理デバイス、ディスクリートゲート又はトランジスタ論理デバイス、ディスクリートハードウェア部材などであってもよい。汎用プロセッサはマイクロプロセッサであってもよい又は該プロセッサはいずれかの従来のプロセッサなどであってもよい。
【０３２７】
実施過程において、上記方法の各ステップはプロセッサにおけるハードウェアの集積論理回路又はソフトウェア形態の命令によって完了されてもよい。本発明の実施例と組み合わせて開示された方法のステップはハードウェアプロセッサによって実行されて完了され、又はプロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリに位置し、プロセッサはメモリにおける命令を実行し、そのハードウェアと組み合わせて上記方法のステップを完了する。
重複を回避するために、ここで説明を省略する。
【０３２８】
当業者であれば、本明細書と組み合わせて開示された実施例で説明された各方法のステップ及びユニットは、電子ハードウェア、コンピュータソフトウェア又は両者の組み合わせで実現されてもよいと理解できる。ハードウェアとソフトウェアの互換性を明確に説明するために、上記の説明において既に機能に従って一般的に各実施例のステップ及び構成を説明した。これらの機能がハードウェア又はソフトウェアで実行されるか否かは技術的解決策の特定アプリケーションと設計約束条件に依存する。当業者は各特定のアプリケーションに対して異なる方法を使用して説明された機能を実現することができるが、このような実現は本発明の範囲を超えていると考えられるべきではない。
【０３２９】
当業者は便利且つ簡潔で説明するために、上述したシステム、装置とユニットの具体的な動作プロセスについて上記方法の実施例における対応するプロセスを参照できることを明確に理解でき、ここでは説明を省略する。
【０３３０】
本出願が提供するいくつかの実施例では、開示されたシステム、装置及び方法は他の方式により実現されてもよいと理解すべきである。例えば、上述した装置の実施例は例示的なものだけであり、例えば、前記ユニットの区分はロジック機能的区分だけであり、実際に実施する時に他の区分方式もあり得て、例えば複数のユニットまたは部材は組み合わせられてもよいまたは別のシステムに統合されてもよく、又はいくつかの特徴は無視されてもよく、又は実行されなくてもよい。また、示されるまたは議論される相互結合又は直接結合又は通信接続はいくつかのインターフェース、装置又はユニットを介する間接的結合又は通信接続であってもよく、電気的、機械的又は他の形態の接続であってもよい。
【０３３１】
分離部材として説明された前記ユニットは物理的に分離するものであってもよくまたは物理的に分離するものでなくてもよく、ユニットとして表示された部材は物理的ユニットであってもよくまたは物理的ユニットでなくてもよく、即ち一つの箇所に位置してもよく、又は複数のネットワークユニットに分布してもよい。実際のニーズに応じてその中の一部または全てのユニットを選択して本実施例の解決策の目的を達成することができる。
【０３３２】
また、本発明の各実施例の各機能ユニットは一つの処理ユニットに統合されてもよく、個々のユニットは単独で物理的に存在してもよく、二つまたは二つ以上のユニットは一つのユニットに統合されてもよい。上記の統合されたユニットはハードウェアの形態で実現されてもよいし、ソフトウェア機能ユニットの形態で実現されてもよい。
【０３３３】
前記統合されたユニットは、ソフトウェア機能ユニットの形態で実現され且つ独立した製品として販売又は使用される場合，一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の前部又は部分がソフトウェア製品の形態で実現されてもよく、該コンピュータソフトウェア製品は、一つのコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶される。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０３３４】
以上は、本発明の最適的な実施例に過ぎなく、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【図１ａ】
2020145694.tif 000003
【図１ｂ】
2020145694.tif 000004
【図２】
2020145694.tif 000005
【図３】
2020145694.tif 000006
【図４】
2020145694.tif 000007
【図５】
2020145694.tif 000008
【図６】
2020145694.tif 000009
【図７】
2020145694.tif 000010
【図８】
2020145694.tif 000011
【図９】
2020145694.tif 000012
【図１０】
2020145694.tif 000013
【図１１】
2020145694.tif 000014
【図１２】
2020145694.tif 000015
【図１３】
2020145694.tif 000016
【図１４】
2020145694.tif 000017
【図１５】
2020145694.tif 000018
【図１６】
2020145694.tif 000019
【図１７】
2020145694.tif 000020
【図１８】
2020145694.tif 000021
【図１９】
2020145694.tif 000022
【図２０】
2020145694.tif 000023
【図２１】
2020145694.tif 000024
【図２２】
2020145694.tif 000025